(57)【要約】      （修正有）【課題】双方向通信チャネルを介して端末と通信することを目的とする少なくとも１つの基地局を含む無線通信システムでの伝送方法であって、各チャネルはダウンリンクサブフレーム及びアップリンクサブフレームに分割されるフレームをサポートし、各ダウンリンクサブフレームは少なくとも２つの端末に送信されることを目的とする複数のシンボルを含み、基地局と、時間遅延中に少なくとも１つの補助シンボルを受信又は送信できる少なくとも１つの端末との間で上記少なくとも１つの補助シンボルを転送することができる伝送方法を提供する。【解決手段】サブフレームに含まれる各シンボルの少なくとも一部は第１の送信電力係数に従って転送され、少なくとも１つの補助シンボルは第２の送信電力係数に従って転送される。【選択図】図１
2008167412.tif 000002
【特許請求の範囲】
【請求項１】
双方向通信チャネルを介して端末と通信することを目的とする少なくとも１つの基地局を含む無線通信システムでの伝送方法であって、
各チャネルは、ダウンリンクサブフレーム及びアップリンクサブフレームに分割されるフレームをサポートし、
各ダウンリンクサブフレームは、少なくとも２つの端末に送信されることを目的とする複数のシンボルを含み、
接続される各端末の時間遅延が求められ、
前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、
前記基地局と、前記時間遅延中に少なくとも１つの補助シンボルを受信又は送信できる少なくとも１つの端末との間で、前記少なくとも１つの補助シンボルを転送することができる
方法において、
前記方法は、
サブフレームに含まれる前記シンボルの少なくとも一部を転送するために前記無線通信システムの多重化資源を得るステップと、
前記得られた各多重化資源に１つの第１の送信電力係数を関連付けるステップと、
前記得られた多重化資源にデータを多重化するステップであって、それにより前記サブフレームに含まれる各シンボルの少なくとも一部を形成する、多重化するステップと、
前記第１の送信電力係数に従って、前記サブフレームに含まれる各シンボルの前記少なくとも一部を転送するステップと、
前記得られた多重化資源にデータを多重化するステップであって、それにより前記少なくとも１つの補助シンボルの少なくとも一部を形成する、多重化するステップと、
前記得られた多重化資源のそれぞれに対して１つの第２の送信電力係数を関連付けるステップと、
前記第２の送信電力係数に従って、前記少なくとも１つの補助シンボルの前記少なくとも一部を転送するステップであって、多重化資源に関連付けられる前記各第２の送信電力係数は、前記第２の送信電力係数と同じ前記多重化資源に関連付けられる前記第１の送信電力係数以下である、転送するステップと
を含むことを特徴とする、方法。
【請求項２】
前記無線通信ネットワークの前記多重化資源は、周波数チャンク、及び／又は符号、及び／又は前記基地局のカバーエリア内の複数のエリアであることを特徴とする、請求項１に記載の方法。
【請求項３】
前記多重化資源に関連付けられる前記各第２の送信電力係数は、前記第２の送信電力係数と同じ前記多重化資源に関連付けられる前記第１の送信電力係数に等しいことを特徴とする、請求項１又は２に記載の方法。
【請求項４】
前記多重化資源に関連付けられる前記各第２の送信電力係数は、前記第２の送信電力係数と同じ前記多重化資源に関連付けられる前記第１の送信電力係数よりも低いことを特徴とする、請求項１又は２に記載の方法。
【請求項５】
前記多重化資源に関連付けられる前記各第２の送信電力係数は、最小の前記第１の送信電力係数に等しいことを特徴とする、請求項１又は２に記載の方法。
【請求項６】
前記基地局により実行されることを特徴とする、請求項３〜５のいずれか１項に記載の方法。
【請求項７】
前記多重化資源は、前記基地局と前記基地局に接続される各端末との間に存在する前記チャネルの状況を解析することにより得られることを特徴とし、かつ、
前記基地局は、前記サブフレームに含まれる前記シンボルを復調するために、前記無線通信システムの前記多重化資源を少なくとも２つの端末に割り振ることを特徴とする、請求項６に記載の方法。
【請求項８】
前記サブフレームに含まれる前記シンボルを復調するために前記端末により使用される前記多重化資源を示す第１の制御情報が前記端末に転送されることを特徴とする、請求項７に記載の方法。
【請求項９】
前記少なくとも１つの補助シンボルを復調するために、少なくとも１つの端末に多重化資源が割り振られるか否かを示す、第２の制御情報が前記端末に転送されることを特徴とする、請求項８に記載の方法。
【請求項１０】
前記第１の制御情報はデータと多重化されて、前記サブフレームに含まれる少なくとも１つのシンボルを形成し、
前記第２の制御情報はデータと多重化されて、少なくとも１つの転送されるシンボルを形成することを特徴とする、請求項９に記載の方法。
【請求項１１】
各端末が受信又は送信できる補助シンボルの数を決定するステップと、
端末の第１の群、及び、少なくとも１つの端末の少なくとも１つの他の群を形成するステップであって、前記端末の第１の群は、少なくとも、前記時間遅延中に前記少なくとも１つの補助シンボルを受信且つ／又は送信できない端末を含み、前記少なくとも１つの端末の他の群は、前記時間遅延中に前記少なくとも１つの補助シンボルを受信且つ／又は送信できる前記少なくとも１つの端末を含む、形成するステップと
をさらに含むことを特徴とする、請求項１０に記載の方法。
【請求項１２】
前記第１の群はすべての前記端末を含み、前記少なくとも１つの他の群は、最大数の補助シンボルを受信且つ／又は送信できる前記端末を含む第２の群であることを特徴とする、請求項１１に記載の方法。
【請求項１３】
前記第２の制御情報は、各端末毎に、前記第１の群に含まれる前記端末に割り振られるすべての前記多重化資源がすべての前記補助シンボルに対して前記端末に割り振られるか否かを示す少なくとも１つのフィールドを含むことを特徴とする、請求項１２に記載の方法。
【請求項１４】
前記第１の群はすべての前記端末を含み、
複数の他の群が形成され、
前記複数の他の群は、少なくとも、第１の数の補助シンボルを受信且つ／又は送信できる前記端末を含む少なくとも１つの第２の群と、第２の数の補助シンボルを受信且つ／又は送信できる前記端末を含む少なくとも１つの第３の群とであることを特徴とする、請求項１１に記載の方法。
【請求項１５】
前記第１の群は、前記時間遅延中に最大で第１の数の補助シンボルを受信且つ／又は送信できる前記端末の一部を含み、
複数の他の群が形成され、
前記複数の他の群は、少なくとも、前記第１の数の補助シンボルを受信且つ／又は送信できる前記端末を含む第２の群と、第２の数の補助シンボルを受信且つ／又は送信できる前記端末を含む第３の群とであることを特徴とする、請求項１１に記載の方法。
【請求項１６】
端末により実行されることを特徴とする、請求項３〜５のいずれか１項に記載の方法。
【請求項１７】
前記基地局から前記ダウンリンクサブフレームを受信するステップをさらに含むことを特徴とし、かつ、
前記多重化資源は、データと多重化されて前記受信ダウンリンクサブフレームに含まれる前記少なくとも１つのシンボルを形成する制御情報を読み取ることにより得られることを特徴とする、請求項１６に記載の方法。
【請求項１８】
各第１の送信電力係数を表す情報は、前記受信ダウンリンクサブフレームに含まれることを特徴とする、請求項１７に記載の方法。
【請求項１９】
各第２の送信電力係数を表す情報は前記受信ダウンリンクサブフレームに含まれることを特徴とする、請求項１７又は１８に記載の方法。
【請求項２０】
双方向通信チャネルを介して端末と通信することを目的とする少なくとも１つの基地局を有する無線通信システムでの伝送装置であって、
各チャネルは、ダウンリンクサブフレーム及びアップリンクサブフレームに分割されるフレームをサポートし、
各ダウンリンクサブフレームは、少なくとも２つの端末に送信されることを目的とする複数のシンボルを含み、
接続される各端末の時間遅延が求められ、
前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、
前記基地局と、前記時間遅延中に少なくとも１つの補助シンボルを受信又は送信できる少なくとも１つの端末との間で、前記少なくとも１つの補助シンボルを転送することができる
伝送装置において、
前記伝送装置は、
サブフレームに含まれる前記シンボルの少なくとも一部を転送するために前記無線通信システムの多重化資源を得る手段と、
前記得られた各多重化資源に１つの第１の送信電力係数を関連付ける手段と、
前記得られた多重化資源にデータを多重化する手段であって、それにより前記サブフレームに含まれる各シンボルの少なくとも一部を形成する、多重化する手段と、
前記第１の送信電力係数に従って、前記サブフレームに含まれる各シンボルの前記少なくとも一部を転送する手段と、
前記得られた多重化資源にデータを多重化する手段であって、それにより前記少なくとも１つの補助シンボルの少なくとも一部を形成する、多重化する手段と、
前記得られた多重化資源のそれぞれに対して１つの第２の送信電力係数を関連付ける手段と、
前記第２の送信電力係数に従って、前記少なくとも１つの補助シンボルの前記少なくとも一部を転送する手段であって、前記多重化資源に関連付けられる前記各第２の送信電力係数は、前記第２の送信電力係数と同じ前記多重化資源に関連付けられる前記第１の送信電力係数以下である、転送する手段と
を備えることを特徴とする、伝送装置。
【請求項２１】
前記基地局又は前記端末であることを特徴とする、請求項２０に記載の装置。
【請求項２２】
プログラマブル装置に直接ロードすることができるコンピュータプログラムであって、前記プログラマブル装置で実行されると、請求項１〜１９に記載の方法のステップを実施する命令又はコード部分を備える、コンピュータプログラム。
【発明の詳細な説明】
【技術分野】
【０００１】
本発明は、包括的には通信システムに関し、特に、双方向通信チャネルを介して端末と通信することを目的とする少なくとも１つの基地局を含む無線通信システムでの伝送方法及び伝送装置に関する。
【０００２】
無線通信システムには、移動端末が長い距離を時に機敏に移動できる移動通信システムだけでなく、端末が固定されるか、又は、接続される基地局に対して短い距離を、多くの場合は非常にゆっくりと移動することしかできない通信システムも含まれることに留意されたい。
【０００３】
図１は、複数の基地局によりサービス提供される無線セルラ通信システムを図示する。図１では、１つのみの基地局ＢＴＳａが示されているが、基地局ＢＴＳａは、少なくとも１つの端末、ここでは無線通信チャネルＣＨ１〜ＣＨ３のそれぞれを介して３つの端末ＴＥ１、ＴＥ２、及びＴＥ３と通信することを目的とする。
【０００４】
図１では、端末ＴＥ１は基地局ＢＴＳａから距離ｄ１にあり、端末ＴＥ２は基地局ＢＴＳａから距離ｄ２にあり、端末ＴＥ３は基地局ＢＴＳａから距離ｄ３にある。基地局ＢＴＳａのカバーエリアは一般的にセル１５ａと呼ばれ、当該セルの境界は基地局から最大と考えられる距離にある。
【０００５】
各チャネルＣｈｉ（ｉ＝１〜３）は、端末ＴＥｉから基地局ＢＴＳａへ情報を搬送するためのアップリンクチャネルＵＬ、及び、基地局ＢＴＳａから端末ＴＥｉへ情報を搬送するためのダウンリンクチャネルＤＬｉをサポートすることを目的としている。上記情報は、アップリンクチャネルＵＬｉ若しくはダウンリンクチャネルＤＬｉのいずれかに割り当てられるタイムスロット又はサブフレームに分割されたフレーム内に含まれる。
【０００６】
フレームは、たとえば、図４に示すタイプを有する。すなわち、ＨＤ／ＯＦＤＭタイプ（半二重（Half Duplex）／直交周波数分割多重（Orthogonal Frequency Division Multiplex）／ＯＦＤＭの略語）であるＴＤＤ／ＯＦＤＭ（時分割複信／ＯＦＤＭ）又はＦＤＤ／ＯＦＤＭ（周波数分割複信）のいずれかを有する。図４に見ることができるように、このフレームは、整数Ｌ個のタイムスロット又はサブフレームＴＳ１〜ＴＳＬに再分割される。これらのタイムスロット又はサブフレームは、ダウンリンクチャネルＤＬ又はアップリンクチャネルＵＬのいずれかに割り当てることができる。さらに、各サブフレームＴＳｊ（ｊ＝１〜Ｌ）は、ｋ個の直交変調周波数ｆ１〜ｆｋによってそれぞれ搬送されるｑｊ個のシンボルｓ１〜ｓｑｊをサポートする（ここでは、サブフレームＴＳｊについて、ｑｊ＝４である）。これらのシンボルは、ＯＦＤＭシンボルと呼ばれる。
【０００７】
サブフレームＴＳｊのＯＦＤＭシンボルｓ１〜ｓｑｊのそれぞれは、一般に、シンボル間の干渉の抑制に努めるのに使用されるサイクリックプリフィックスを含むことに留意されたい。
【０００８】
一般的な場合に、サブフレームあたりのシンボル数は、サブフレーム毎に変化し得ると理解しなければならない。
【０００９】
図５に関して、基地局ＢＴＳａによるダウンリンクチャネルＤＬを介するｑｊ＝４個のシンボルｓ１〜ｓ４の、時刻ｔｅにおける送信を考察してみよう。これらのシンボルｓ１〜ｓ４は、考慮対象のセル１５ａの境界（基地局ＢＴＳａから距離ｄ１）にある端末ＴＥ１によって、ｔｅ＋ＲＴＤ（ｄ１）／２に等しい時刻に受信される。ここで、ＲＴＤ（ｄ１）は、基地局ＢＴＳａから上記距離ｄ１のその端末ＴＥ１へのラウンドトリップ遅延である。これらのシンボルは、この端末ＴＥ１によって処理され、この端末はその後また、アップリンクチャネルＵＬを介してシンボルを送信する。端末ＴＥｉは、アップリンクチャネルＵＬを介してシンボルを送信する前に、ハードウェアオペレーション及びソフトウェアオペレーションの継続時間を考慮するために、或る期間待たなければならない。この或る期間は、受信送信切り換え時間（Receive Transmit Switch time）又は単にスイッチング時間と呼ばれ、ＲＴＳと参照される。たとえば、この遅延ＲＴＳは、端末ＴＥのハードウェア機器が受信モードと送信モードとを切り換えるのに必要な時間、及び、基地局ＢＴＳａのハードウェア機器が送信モードと受信モードとを切り換えるのに必要な時間の最大値である。アップリンクチャネルＵＬで送信されるシンボルは、ｔｅ＋ＲＴＤ（ｄ１）＋ＲＴＳ＋ＤＤＬに等しい時刻ｔｒに基地局ＢＴＳａで受信される。ＤＤＬは、ｑｊ個のシンボルの全継続時間である。このように、基地局ＢＴＳａは、セル１５ａの境界に位置する端末ＴＥｉによって送信されたシンボルの処理を行うために、それらのシンボルの受信を待たなければならないことが分かる。この待ち時間は、ガード期間（Guard Period）ＧＰと呼ばれ、少なくともラウンドトリップ遅延ＲＴＤ（ｄ１）に受信送信切り換え時間ＲＴＳを加えたものに等しくなければならない。
【００１０】
１つの端末が本発明に関わる場合、その端末はＴＥｉと呼ばれ、ｉ＝１、２、３、…、であり、ｉの最大値は基地局ＢＴＳａのカバーエリア内に含まれる端末の最大数である。
【００１１】
少なくとも２つの端末が本発明に関わる場合、端末ＴＥと呼ばれる。
【００１２】
ダウンリンクチャネルＤＬとアップリンクチャネルＵＬとの間のガード期間ＧＰを図４に見ることができる。
【００１３】
基地局ＢＴＳａは、各端末ＴＥのタイミング遅延ＴＤ（ｄ）を求める。基地局ＢＴＳａはシンボルを端末ＴＥに転送し、端末ＴＥはこれに応答してシンボルを基地局ＢＴＳａに転送することができる。これらのシンボルはたとえばパイロットシンボルである。
【００１４】
タイミング遅延は以下の式を使用して計算される。
Ｔｄ（ｄ）＝ｔｒ−ｔｅ−ＤＤＬ−ＲＴＤ（ｄ）＝ＧＰ−ＲＴＤ（ｄ）
式中、ｄは各端末ＴＥｉと基地局ＢＴＳａとの距離である。
【００１５】
各タイミング遅延から、基地局ＢＴＳａは、各端末のタイミング進み（Timing Advance）ＴＡ＝ＧＰ−ＴＤ（ｄ）を求め、タイミング進みを対応する端末ＴＥｉに転送する。
【００１６】
各端末は、基地局ＢＴＳａに接続される端末ＴＥから送信されるシンボルが基地局ＢＴＳａで等しい時刻ｔｒに受信されるように、アップリンクチャネルＵＬを介してのシンボルの送信にタイミング進み値を適用する。
【００１７】
上記通信システムにより対処される問題は、ガード期間ＧＰ中にいかなる種類の情報も基地局において送受信されないことに起因する資源の潜在的な喪失に関する。
【００１８】
この問題を解消するために、本発明の発明者等は、欧州特許出願第０５２９１９７２号明細書において、ダウンリンクチャネル又はアップリンクチャネルでの新しい情報伝送方式を提案した。
【００１９】
この欧州特許出願第０５９２１９７２号明細書では、基地局ＢＴＳａは、ガード期間中に少なくとも１つの補助ダウンリンクシンボルを、当該少なくとも補助ダウンリンクシンボルを受信できる端末ＴＥに送信し、且つ／又は、基地局ＢＴＳａは、ガード期間中に少なくとも１つの補助アップリンクシンボルを、時間遅延中に上記少なくとも補助アップリンクシンボルを送信できる端末ＴＥから受信する。
【００２０】
このような技法について図６を参照してより詳細に説明する。
【００２１】
図６では、ｎｒｅｆ個のシンボルｓ１〜ｓ４が、ｔｅと参照される時刻に基地局ＢＴＳａによりダウンリンクチャネルＤＬを介してサブフレームの基準部(nominal part)で転送される。
【００２２】
ダウンリンクサブフレームの基準部は、セルの境界にある端末ＴＥに（換言すれば基地局ＢＴＳａのセル内にある任意の端末に）送信できるｑｊ個のシンボルの全継続時間である。
【００２３】
アップリンクサブフレームの基準部は、基地局ＢＴＳａのカバーエリアの境界にある端末ＴＥにより送信できるｑｊ個のシンボルの全継続時間である。
【００２４】
サブフレームの基準部の最後のダウンリンクシンボルｓ４を送信した後、基地局ＢＴＳａは、時刻ｔｒまで、ガード期間ＧＰの間、接続された端末ＴＥからのアップリンクシンボルの受信を待つ必要がある。ダウンリンクチャネルでのサブフレームの基準部の継続時間を、シンボルの基準数ｎｒｅｆ、たとえば４に対応するＤｒｅｆと呼ぶ。
【００２５】
基地局ＢＴＳａは、ダウンリンクサブフレームに補助ダウンリンクシンボルを含むように規定され、当該補助ダウンリンクシンボルは、各時間遅延中に補助ダウンリンクシンボルを受信して処理できる端末ＴＥにのみ送信されることを目的とする。
【００２６】
基地局ＢＴＳａから距離ｄに配置された端末の時間遅延ＴＤ（ｄ）が、ダウンリンクシンボルｎｄｌ個分の継続時間に切り替え時間ＲＴＳを足した数とダウンリンクシンボルｎｄｌ＋１個分の継続時間に切り替え時間ＲＴＳを足した数との間に含まれる場合、基地局ＢＴＳａは、その端末に対する情報をｎｄｌ個の補助ダウンリンクシンボルに挿入することができる。この条件は以下のように数学的に記述することができる：
ｎｄｌ・ｔｓｄｌ≦ＴＤ（ｄ）−ＲＴＳ＜（ｎｄｌ＋１）ｔｓｄｌならば最大でｎｄｌ個の補助シンボルを挿入する。
ここでｔｓｄｌは１つのダウンリンクシンボルの継続時間である。
【００２７】
端末ＴＥｉに対する情報をｎｄｌ個の補助ダウンリンクシンボルに挿入する場合、基地局ＢＴＳａは、端末ＴＥｉがこの１つ又は複数のｎｄｌ個の補助シンボルをダウンリンクサブフレームの基準部に含まれる他のシンボルと共に読み取って処理できるように、この挿入をその端末ＴＥｉに対して示す（シグナリングにより）。
【００２８】
基地局ＢＴＳａは、適用すべき時間遅延ＴＤ又はタイミング進みについて、接続されている各端末ＴＥｉに通知する。次に、各端末ＴＥｉは、上記式を使用することにより、時間遅延ＴＤの値又はタイミング進みの値から、読み出して処理する必要のあるシンボル数を導き出す。
【００２９】
したがって、基地局ＢＴＳａから距離ｄにある端末ＴＥｉに基地局ＢＴＳａが割り振ることができる補助ダウンリンクシンボルの数ｎｄｌは、以下のように求められる：
ｎｄｌ＝integer｛（ＴＤ（ｄ）−ＲＴＳ）／ｔｓｄｌ｝
＝integer｛（ＧＰ−ＲＴＤ（ｄ）−ＲＴＳ）／ｔｓｄｌ｝
最大数Ｎｄｌｍａｘ個の補助シンボルが、基地局ＢＴＳａから距離０にあると共にラウンドトリップ遅延ＲＴＤが０である端末ＴＥｉに与えられる：
Ｎｄｌｍａｘ＝integer｛（ＧＰ−ＲＴＳ）／ｔｓｄｌ｝
上記式と同様の式が補助アップリンクチャネルにも使用される。
【００３０】
例として、図６に示す場合では、数Ｎｄｌｍａｘは２であり、ここで、送信されるダウンリンクシンボルの総数は、サブフレームの基準部Ｄｒｅｆの４個のダウンリンクシンボルｓ１〜ｓ４並びにガード期間ＧＰと通常みなされる期間中に送信される２個の補助ダウンリンクシンボルｓ５及びｓ６に等しい。セル１５ａの境界にある端末ＴＥ１の時間遅延ＴＤ（ｄ１）の値は、時間遅延の定義により切り替え時間ＲＴＳに等しい。サブフレームの基準部Ｄｒｅｆの４個のダウンリンクシンボルｓ１〜ｓ４のみが、基地局ＢＴＳａにより上記端末ＴＥ１に割り振られる。端末ＴＥ１は、これらの４個のダウンリンクシンボルｓ１〜ｓ４のみを読み出して処理するだけであり、２個の補助シンボルｓ５及びｓ６は、存在する場合でも無視される（すなわち処理されない）。
【００３１】
端末ＴＥ２の時間遅延ＴＤ（ｄ２）の値は、２個のダウンリンクシンボルの継続時間に切り替え時間を足した時間よりも小さいが、１個のダウンリンクシンボルの継続時間に切り替え時間ＲＴＳを足した時間に等しい。したがって、基地局ＢＴＳａは、最大で１個の補助ダウンリンクシンボル（ここでは、ダウンリンクサブフレームの基準部Ｄｒｅｆの最後のダウンリンクシンボルｓ４に後続するダウンリンクシンボルｓ５）内で情報をその端末ＴＥ２に送信することができ、この補助ダウンリンクシンボルは当該端末ＴＥ２により読み取られて処理される。シンボルｓ６は、存在する場合でも上記端末ＴＥ２に無視される（すなわち処理されない）。この場合、その端末ＴＥ２に対する情報を含むことができるダウンリンクシンボルの総数は５である（サブフレームの基準部Ｄｒｅｆの４個ｓ１〜ｓ４と１個の補助シンボルｓ５とを足した数）。
【００３２】
図６の例によれば、端末ＴＥ３の時間遅延ＴＤ（ｄ３）の値は、２個のダウンリンクシンボルの継続時間に切り替え時間ＲＴＳを足した時間に等しい。したがって、基地局ＢＴＳａは、最大で２個の補助ダウンリンクシンボルｓ５及びｓ６内で情報をその端末ＴＥ３に送信することができ、これらの補助ダウンリンクシンボルは当該端末ＴＥ３により読み取られて処理される。その端末ＴＥ３に対する情報を含むことができるダウンリンクシンボルの総数は６である（サブフレームの基準部Ｄｒｅｆの４個ｓ１〜ｓ４と２個の補助ダウンリンクシンボルｓ５及びｓ６とを足した数）。
【００３３】
基地局ＢＴＳａは、端末ＴＥ２の距離ｄ２と端末ＴＥ３の距離ｄ３との間に含まれる基地局から距離ｄにあるいずれの端末ＴＥｉにも、最大で５個のダウンリンクシンボル内で情報を送信することができ、端末ＴＥｉはこれを読み出して処理することができる。同じように、基地局ＢＴＳａは、端末ＴＥ３の距離ｄ３よりも短い距離ｄにあるいずれの端末にも、最大で６個のダウンリンクシンボル内で情報を送信することができ、端末はこれを読み出して処理することができる。常に同じように、基地局ＢＴＳａは、端末ＴＥ２の距離ｄ２よりも長い距離ｄにあるいずれの端末にも、最大で４個のシンボル内で情報を送信することができ、端末はこれを読み出して処理することができる。
【００３４】
ダウンリンクシンボルｓ５は、基地局ＢＴＳａからｄ２未満の距離にある端末ＴＥに対する情報のみを含むことができるのに対して、ダウンリンクシンボルｓ６は、基地局ＢＴＳａからｄ３未満の距離にある端末ＴＥに対する情報のみを含むことに留意されたい。
【００３５】
端末ＴＥｉは、基地局ＢＴＳａに接続したとき、適用する必要がある時間遅延ＴＤについての情報をまだ受信していない。それが行われない限り、この端末ＴＥｉに割り振られるシンボル数は基準数ｎｒｅｆに等しい。すなわち、この端末ＴＥｉに割り振られるシンボル数はサブフレームの基準部Ｄｒｅｆに含まれるシンボル数に等しい。さらに、端末ＴＥｉは、基準数ｎｒｅｆに等しい数のシンボルを受信した後、予め規定される時間遅延で、たとえばガード期間ＧＰ又はＲＴＳに等しい時間遅延でアップリンクにて送信することができる。
【００３６】
いくつかの無線通信ネットワークでは、無線通信ネットワークの各基地局ＢＴＳが、定期的に、要求に応じて、又は、各ダウンリンクサブフレーム及び／若しくはアップリンクサブフレーム毎に、各ダウンリンクチャネル並びに／又はアップリンクチャネルＣｈ１〜Ｃｈ３を通じて転送されるシンボルの送信電力を決定する。
【００３７】
そのために、各基地局ＢＴＳは、接続されている各端末ＴＥｉにより求められるチャネル品質指標を使用し、且つ／又は、接続されている各端末ＴＥｉと各基地局ＢＴＳ自身とを隔てる距離を考慮し、且つ／又は、ダウンリンクチャネル及び／若しくはアップリンクチャネルを通じて転送されるシンボルにより隣接するカバーエリア内に発生する干渉を考慮すると共に、これらの隣接するカバーエリア内のダウンリンクチャネル及び／若しくはアップリンクチャネルを通じて転送されるシンボルにより隣接のカバーエリアから発生する干渉を考慮する。
【００３８】
半二重通信では様々な種類の干渉が発生し得る。所与のカバーエリア１５内にある送信基地局ＢＴＳが、隣接するカバーエリア１５内にある受信端末に干渉し得る。これはダウンリンク−ダウンリンク干渉と呼ばれる。相互的に、所与のカバーエリア１５内にある送信端末が、隣接するカバーエリア１５内にある受信基地局ＢＴＳに干渉し得る。これはアップリンク−アップリンク干渉と呼ばれる。ネットワークレベルでは、互いに隣接するカバーエリア１５間でダウンリンク−ダウンリンク干渉調整又はアップリンク−アップリンク干渉調整を使用して、全体のネットワーク送信効率が最適化されるように、各カバーエリア１５内で各ダウンリンクチャネル又は各アップリンクチャネルを通って転送されるシンボルの送信電力をまとめて最適化する。
【００３９】
しかし、これは、トラフィック条件及び伝搬条件の時間に伴う変動に従うように動的に実行する必要がある多次元最適化問題により、複雑すぎる干渉調整プロセスに繋がり得る。
【００４０】
さらに、所与のカバーエリア１５にある送信基地局ＢＴＳは、隣接するカバーエリアにある受信基地局ＢＴＳに干渉し得る。同期ネットワークでは、このダウンリンク−アップリンク干渉は、第１の基地局ＢＴＳａから別の基地局ＢＴＳｂへの伝搬時間がカバーエリア１５ａ内のラウンドトリップ遅延よりも大きい場合、すなわちカバーエリア１５ｂがカバーエリア１５ａよりも大きい場合に発生する。同様に、所与のカバーエリア１５ａにある送信端末が、別のカバーエリア１５ｂにあると共にその専用基地局ＢＴＳｂからシンボルを受信している別の端末により受信されるシンボルを送信する場合、アップリンク−ダウンリンク干渉が発生し得る。
【００４１】
補助シンボルが基地局と基地局に接続される端末との間で転送される場合、補助シンボルは隣接する基地局ＢＴＳのカバーエリア１５内で干渉を発生させる。
【００４２】
このような干渉は、隣接するカバーエリアでのアップリンクチャネル及びダウンリンクチャネルでの通信の品質を低下させると共に、無線通信ネットワークを考えれば、欧州特許出願第０５９２１９７２号明細書に開示されているような発明の効率を低下させる。
【００４３】
【特許文献１】欧州特許出願公開第１５１１１９０号明細書（要約書、段落［０００６］〜［０００９］）
【特許文献２】欧州特許出願公開第０５７１００５号明細書（要約書、５頁、２３行目〜３８行目）
【００４４】
この目的のために、本発明は、双方向通信チャネルを介して端末と通信することを目的とする少なくとも１つの基地局を含む無線通信システムでの伝送方法であって、各チャネルは、ダウンリンクサブフレーム及びアップリンクサブフレームに分割されるフレームをサポートし、各ダウンリンクサブフレームは、少なくとも２つの端末に送信されることを目的とする複数のシンボルを含み、接続される各端末の時間遅延が求められ、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、前記基地局と、前記時間遅延中に少なくとも１つの補助シンボルを受信又は送信できる少なくとも１つの端末との間で、前記少なくとも１つの補助シンボルを転送することができる方法において、前記方法は、サブフレームに含まれる前記シンボルの少なくとも一部を転送するために前記無線通信システムの多重化資源を得るステップと、前記得られた各多重化資源に１つの第１の送信電力係数を関連付けるステップと、前記得られた多重化資源にデータを多重化するステップであって、それにより前記サブフレームに含まれる各シンボルの少なくとも一部を形成する、多重化するステップと、前記第１の送信電力係数に従って、前記サブフレームに含まれる各シンボルの前記少なくとも一部を転送するステップと、前記得られた多重化資源にデータを多重化するステップであって、それにより前記少なくとも１つの補助シンボルの少なくとも一部を形成する、多重化するステップと、前記得られた多重化資源のそれぞれに対して１つの第２の送信電力係数を関連付けるステップと、前記第２の送信電力係数に従って、前記少なくとも１つの補助シンボルの前記少なくとも一部を転送するステップであって、多重化資源に関連付けられる前記各第２の送信電力係数は、前記第２の送信電力係数と同じ前記多重化資源に関連付けられる前記第１の送信電力係数以下である、転送するステップとを含むことを特徴とする、伝送方法に関する。
【００４５】
本発明はまた、双方向通信チャネルを介して端末と通信することを目的とする少なくとも１つの基地局を有する無線通信システムでの伝送装置であって、各チャネルは、ダウンリンクサブフレーム及びアップリンクサブフレームに分割されるフレームをサポートし、各ダウンリンクサブフレームは、少なくとも２つの端末に送信されることを目的とする複数のシンボルを含み、接続される各端末の時間遅延が求められ、前記時間遅延は、任意の端末が、前記アップリンクサブフレームが後続する前記ダウンリンクサブフレームに含まれるすべての前記シンボルを受信した後、前記基地局による前記ダウンリンクサブフレームの送信終了から距離に関わらず一定である所定のガード期間だけ隔てられた時刻に、送信可能な他のシンボルが前記基地局により受信されるように、前記アップリンクサブフレームを介して前記時間遅延で前記他のシンボルを送信することができるようなものであり、前記基地局と、前記時間遅延中に少なくとも１つの補助シンボルを受信又は送信できる少なくとも１つの端末との間で、前記少なくとも１つの補助シンボルを転送することができる伝送装置において、前記伝送装置は、サブフレームに含まれる前記シンボルの少なくとも一部を転送するために前記無線通信システムの多重化資源を得る手段と、前記得られた各多重化資源に１つの第１の送信電力係数を関連付ける手段と、前記得られた多重化資源にデータを多重化する手段であって、それにより前記サブフレームに含まれる各シンボルの少なくとも一部を形成する、多重化する手段と、前記第１の送信電力係数に従って、前記サブフレームに含まれる各シンボルの前記少なくとも一部を転送する手段と、前記得られた多重化資源にデータを多重化する手段であって、それにより前記少なくとも１つの補助シンボルの少なくとも一部を形成する、多重化する手段と、前記得られた多重化資源のそれぞれに対して１つの第２の送信電力係数を関連付ける手段と、前記第２の送信電力係数に従って、前記少なくとも１つの補助シンボルの前記少なくとも一部を転送する手段であって、前記多重化資源に関連付けられる前記各第２の送信電力係数は、前記第２の送信電力係数と同じ前記多重化資源に関連付けられる前記第１の送信電力係数以下である、転送する手段とを備えることを特徴とする、伝送装置に関する。
【００４６】
したがって、補助シンボルが基地局と基地局に接続される端末との間で転送される場合、補助シンボルは、隣接する基地局のカバーエリア内においてサブフレームで転送されるシンボルより多くの干渉を発生させることはない。
【００４７】
そして、無線通信ネットワークを考えれば、欧州特許出願第０５９２１９７２号に開示されている発明の有効性が向上する。
【００４８】
無線通信ネットワークの各基地局が、各ダウンリンクサブフレーム毎に、各ダウンリンクチャネル及び／又はアップリンクチャネルを通じて転送されるシンボルの送信電力を決定するため、補助シンボルはこのような決定を妨げない。
【００４９】
さらに、隣接する基地局は、各補助シンボルの各ダウンリンクチャネル及び／又はアップリンクチャネルを通じて転送されるシンボルの送信電力を求める必要がない。
【００５０】
特定の特徴によれば、無線通信ネットワークの多重化資源は、周波数チャンク、及び／又は符号、及び／又は基地局のカバーエリア内の複数のエリアである。
【００５１】
特定の特徴によれば、多重化資源に関連する各第２の送信電力係数は、第２の送信電力係数と同じ多重化資源に関連する第１の送信電力係数に等しい。
【００５２】
したがって、ダウンリンクチャネル及び／又はアップリンクチャネルを通じて転送されるシンボルにより隣接するカバーエリアで発生する干渉は、少なくとも１つの補助シンボルについては変化しない。
【００５３】
ダウンリンク−ダウンリンク干渉調整及び／又はアップリンク−アップリンク干渉調整の最適化は、少なくとも１つの補助シンボルの転送による影響を受けず、異なる送信電力係数の使用に関連する制御情報量が低減される。
【００５４】
特定の特徴によれば、多重化資源に関連する各第２の送信電力係数は、第２の送信電力係数と同じ多重化資源に関連する第１の送信電力係数よりも低い。
【００５５】
したがって、少なくとも１つの補助シンボルの転送により発生するダウンリンク−アップリンク干渉及び／又はアップリンク−ダウンリンク干渉が低減される。
【００５６】
特定の特徴によれば、多重化資源に関連する各第２の送信電力係数は、最小の第１の送信電力係数に等しい。
【００５７】
したがって、転送する必要がある送信電力係数が１つである限り、関連する制御情報量が低減される。
【００５８】
特定の特徴によれば、方法は基地局により実行されるか、又は伝送装置が基地局である。
【００５９】
したがって、少なくとも１つの補助シンボルの送信によるダウンリンク−ダウンリンク干渉及び／又はダウンリンク−アップリンク干渉が低減される。
【００６０】
特定の特徴によれば、多重化資源は、基地局と基地局に接続される各端末との間に存在するチャネルの状況を解析することにより得られ、基地局は、サブフレームに含まれるシンボルの復調(de multiplexing)のために無線通信システムの多重化資源を少なくとも２つの端末に割り振る。
【００６１】
したがって、多重化資源は効率的に割り振られる。
【００６２】
特定の特徴によれば、サブフレームに含まれるシンボルの復調のために端末が使用する多重化資源を示す制御情報が端末に転送される。
【００６３】
したがって、サブフレームに含まれるシンボルの復調が促される。
【００６４】
特定の特徴によれば、少なくとも１つの補助シンボルの復調のために多重化資源が少なくとも１つの端末に割り振られるか否かを示す、第２の制御情報が端末に転送される。
【００６５】
したがって、少なくとも１つの補助シンボルに含まれるシンボルの復調は、限られた量のシグナリングを使用して促される。
【００６６】
特定の特徴によれば、第１の制御情報は、サブフレームに含まれる少なくとも１つのシンボルを形成するためにデータと多重化され、第２の制御情報は、少なくとも１つの転送されるシンボルを形成するようにデータと多重化される。
【００６７】
したがって、制御情報は良好な送信品質の恩恵を受ける多重化資源上で転送することができる。
【００６８】
特定の特徴によれば、基地局は、各端末により送信又は受信できる補助シンボルの数を決定し、端末の第１の群と、少なくとも１つの端末の少なくとも１つの他の群とを形成し、端末の第１の群は、少なくとも、時間遅延中に上記少なくとも補助シンボルを受信且つ／又は送信できない端末を含み、少なくとも１つの端末の他方の群は、時間遅延中に上記少なくとも補助シンボルを受信且つ／又は送信できる少なくとも１つの端末を含む。
【００６９】
したがって、少なくとも１つの補助シンボル中の多重化資源の割り振りが単純化する。
【００７０】
特定の特徴によれば、第１の群は全端末を含み、少なくとも１つの他の群は、最大数の補助シンボルを受信且つ／又は送信できる端末を含む第２の群である。
【００７１】
したがって、少なくとも１つの補助シンボルに対する多重化資源の割り振りがさらに単純化する。
【００７２】
特定の特徴によれば、第２の制御情報は、各端末毎に、第１の群に含まれる端末に割り振られるすべての多重化資源が、すべての補助シンボルに対してその端末に割り振られるか否かを示す少なくとも１つのフィールドを含む。
【００７３】
したがって、第２の制御情報は送信資源の多くを消費しない。
【００７４】
特定の特徴によれば、第１の群はすべての端末を含み、複数の他の群が形成され、この複数の他の群は、第１の数の補助シンボルを受信且つ／又は送信できる端末を含む少なくとも１つの第２の群と、第２の数の補助シンボルを受信且つ／又は送信できる端末を含む少なくとも１つの第３の群とである。
【００７５】
したがって、いくつかの端末が補助シンボルを共用することができる。
【００７６】
特定の特徴によれば、第１の群は、最大で第１の数の補助シンボルを時間遅延中に受信且つ／又は送信できる端末の一部を含み、複数の他の群が形成され、この複数の他の群は、第１の数の補助シンボルを受信且つ／又は送信できる端末を含む少なくとも１つの第２の群と、第２の数の補助シンボルを受信且つ／又は送信できる端末を含む第３の群とである。
【００７７】
したがって、多重化資源の割り振りをより効率的に使用することができる。
【００７８】
特定の特徴によれば、方法は端末により実行されるか、又は伝送装置は端末である。
【００７９】
したがって、アップリンク−ダウンリンク干渉及びアップリンク−アップリンク干渉が低減される。
【００８０】
特定の特徴によれば、端末はダウンリンクサブフレームを基地局から受信し、データに多重化される情報を読み取ることにより多重化資源が得られ、受信ダウンリンクサブフレームに含まれる少なくとも１つのシンボルが形成される。
【００８１】
したがって、アップリンクシンボルの制御情報は、良好な送信品質の多重化資源から恩恵を受けることができる。
【００８２】
特定の特徴によれば、各第１の送信電力係数を表す情報は、受信ダウンリンクサブフレームに含まれる。
【００８３】
したがって、サブフレームの多重化資源からの情報の受信が促される。
【００８４】
特定の特徴によれば、各第２の送信電力係数を表す情報は、受信ダウンリンクサブフレームに含まれる。
【００８５】
したがって、少なくとも１つの補助シンボルの多重化資源からの情報の受信が促される。
【００８６】
さらに別の態様によれば、本発明は、プログラマブル装置に直接ロード可能であり得るコンピュータプログラムであって、プログラマブル装置で実行されると、本発明による方法のステップを実施する命令又はコード部分を含むコンピュータプログラムに関する。
【００８７】
コンピュータプログラムに関する特徴及び利点は、本発明による方法及び装置に関して上述した特徴及び利点と同じであるため、ここで繰り返さない。
【００８８】
本発明の特徴は、添付図面を参照して行われる実施形態例の以下の説明を読むことからより明確になろう。
【００８９】
図１は、本発明が実施される無線通信システムの構造を表す図である。
【００９０】
図１の通信システムでは、少なくとも１つ、好ましくは複数の端末ＴＥ１、ＴＥ２、及びＴＥ３が、基地局ＢＴＳａのカバーエリア１５ａ内に含まれる。基地局ＢＴＳａは、少なくとも１つの端末ＴＥｉ、ここでは無線通信チャネルＣｈ１〜Ｃｈ３のそれぞれを介して３つの端末ＴＥ１、ＴＥ２、及びＴＥ３と通信することを目的とする。
【００９１】
本発明について、無線セルラネットワーク又はローカルエリアネットワークのような無線ネットワークにおいて説明するが、本発明は電力線網のような有線ネットワークに適用することも可能である。
【００９２】
基地局ＢＴＳａのカバーエリア１５ａは、基地局ＢＴＳｂのカバーエリア１５ｂ及び基地局ＢＴＳｃのカバーエリア１５ｃに隣接する。
【００９３】
簡易化のために基地局ＢＴＳａ〜ＢＴＳｃの３つのカバーエリア１５ａ〜１５ｃのみを図１に示すが、実際には、特に無線ネットワークが無線セルラネットワークの場合、無線セルラ通信システムはより多数の基地局及びセルで構成される。
【００９４】
図１には、簡易化のために３つの端末ＴＥのみを示すが、実際には、より多数の端末が基地局ＢＴＳａのカバーエリア１５ａ内にある。
【００９５】
基地局ＢＴＳは、ノード、ノードＢ、拡張ノードＢ、又はアクセスポイントとも呼ばれる。
【００９６】
端末ＴＥ１〜ＴＥ３は、携帯電話、携帯情報端末、又はパーソナルコンピュータのような端末である。
【００９７】
図６において開示したように、基地局ＢＴＳａは補助ダウンリンクシンボルを含むように規定され、上記補助ダウンリンクシンボルは、各時間遅延中に補助ダウンリンクシンボルの受信及び処理を行える端末ＴＥに対してのみ送信されることを目的とする。基地局ＢＴＳａは補助アップリンクシンボルを含むようにも規定され、上記補助アップリンクシンボルは、各時間遅延中に補助アップリンクシンボルの送信及び処理を行える端末ＴＥのみにより送信されることを目的とする。
【００９８】
基地局ＢＴＳａは、端末ＴＥｉに対する情報をｎｄｌ個の補助シンボルに挿入することができる。この条件は以下のように数学的に記述することができる：
ｎｄｌ・ｔｓｄｌ≦ＴＤ（ｄ）−ＲＴＳ＜（ｎｄｌ＋１）ｔｓｄｌならば最大でｎｄｌ個の補助シンボルを挿入する。
【００９９】
ｔｓｄｌは１つのダウンリンクシンボルの継続時間である。
【０１００】
図１及び図６の例によれば、数Ｎｄｌｍａｘは２であるが、例として、基地局ＢＴＳａのカバーエリアにより、且つ／又はＯＦＤＭシンボルの継続時間により、より多数の補助シンボルを決定することもできる。
【０１０１】
上記式と同様の式が補助アップリンクチャネルにも使用される。
【０１０２】
例として、無線通信システムは、時分割複信方式（ＴＤＤ）又は周波数分割複信方式（ＦＤＤ）、より厳密には半二重ＦＤＤ方式を使用する無線通信システムである。
【０１０３】
ＴＤＤ方式では、アップリンクチャネル及びダウンリンクチャネルで転送される信号は、同じ周波数帯域で、異なるサブフレーム（タイムスロットとも呼ばれる）で二重化される。
【０１０４】
半二重ＦＤＤ方式では、アップリンクチャネル及びダウンリンクチャネルで転送される信号は、異なる周波数帯域で、異なるサブフレーム（タイムスロットとも呼ばれる）で二重化される。
【０１０５】
基地局ＢＴＳａがシンボルを端末ＴＥｉに転送する場合（ｉ＝１〜３）、データ、信号、又はメッセージはダウンリンクチャネルのダウンリンクサブフレームを通じて転送される。
【０１０６】
端末ＴＥｉがシンボルを基地局ＢＴＳａに転送する場合（ｉ＝１〜３）、信号又はデータはアップリンクチャネルのアップリンクサブフレームを通じて転送される。
【０１０７】
本発明の第１の実現形態では、複数の端末ＴＥの情報を多重化するために、周波数分割多元アクセス技法が無線通信システムにおいて使用される。
【０１０８】
本発明の第２の実現形態では、複数の端末ＴＥの情報を多重化するために、符合分割多元アクセス技法が無線通信システムにおいて使用される。
【０１０９】
本発明の第３の実現形態では、複数の端末ＴＥの情報を多重化するために、空間分割多元アクセス技法が無線通信システムにおいて使用される。図１においてビーム１、ビーム２、ビーム３、及びビーム４と記されているビームが、基地局ＢＴＳａのカバーエリア１５ａの空間分割の一部を表す。
【０１１０】
第１、及び／又は第２、及び／又は第３の実現形態で使用される技法は組み合わせることも可能なことに留意する必要がある。
【０１１１】
好ましくは、端末ＴＥｉがシンボルを転送する場合、端末ＴＥｉは割り振られた多重化資源にデータを多重化し、割り振られていない多重化資源にはヌル値を設定する。
【０１１２】
基地局ＢＴＳはシンボルを受信する。受信された各シンボルは、端末ＴＥの少なくとも一部により転送されたシンボルにより形成される。
【０１１３】
図２は、本発明による基地局の構造を表す図である。
【０１１４】
基地局ＢＴＳａは、たとえば、バス２０１により共に接続される構成要素と図７において開示するようなアルゴリズムに関連するプログラムにより制御されるプロセッサ２００とに基づく構造を有する。
【０１１５】
基地局ＢＴＳａは、一変形において、以下に開示するようなプロセッサ２００により実行される動作と同じ動作を実行する１つ又はいくつかの専用集積回路の形で実施されることに留意する必要がある。
【０１１６】
バス２０１は、プロセッサ２００を読み取り専用メモリＲＯＭ２０２、ランダムアクセスメモリＲＡＭ２０３、及びチャネルインタフェース２０５にリンクする。
【０１１７】
読み取り専用メモリＲＯＭ２０２は図７に開示されているようなアルゴリズムに関連するプログラムの命令を含み、これは、基地局ＢＴＳａに電源が投入されるとランダムアクセスメモリＲＡＭ２０３に転送される。
【０１１８】
ＲＡＭメモリ２０３は、変数の受け取りを目的とするレジスタと、図７に開示されているようなアルゴリズムに関連するプログラムの命令とを含む。
【０１１９】
プロセッサ２００は、定期的に、又は要求に応じて、又は各ダウンリンクサブフレーム毎に、且つ各多重化資源毎に、各ダウンリンクサブフレームを通じて転送されるシンボルの第１の送信係数を決定する。
【０１２０】
そのために、プロセッサ２００は、図９又は図１２に開示されているような、各端末ＴＥｉにより求められるチャネル品質指標を使用し、且つ／又は、基地局ＢＴＳａから各端末ＴＥｉが隔てられている距離を考慮し、且つ／又は、ダウンリンクサブフレームを通じて転送されるシンボルにより隣接するカバーエリア１５ｂ及び１５ｃ内で発生する干渉を考慮し、且つ／又は、隣接するカバーエリア内のダウンリンクチャネル及びアップリンクチャネルを通じて転送されるシンボルにより隣接するカバーエリア１５ｂ及び１５ｃから発生する干渉を考慮する。
【０１２１】
プロセッサ２００は、定期的に、又は要求に応じて、又は各アップリンクサブフレーム毎に、アップリンクチャネルＣｈ１〜Ｃｈ３を通じて端末ＴＥにより転送されるシンボルの送信電力を決定する。
【０１２２】
そのために、プロセッサ２００は、基地局ＢＴＳａにより求められるチャネル品質指標を使用し、且つ／又は、基地局ＢＴＳａから各端末ＴＥｉが隔てられている距離を考慮し、且つ／又は、アップリンクサブフレームを通じて転送されるシンボルにより隣接するカバーエリア１５ｂ及び１５ｃ内で発生する干渉を考慮し、且つ／又は、隣接するカバーエリア内のダウンリンクチャネル及びアップリンクチャネルを通じて転送されるシンボルにより隣接カバーエリア１５ｂ及び１５ｃから発生する干渉を考慮する。
【０１２３】
本発明の第１の実現形態によれば、送信電力係数は、各周波数チャンク（chunk of frequencies）毎又は各周波数チャンクに含まれる複数の周波数の少なくとも一部毎に決定される。
【０１２４】
本発明の第２の実現形態によれば、送信電力係数は各符号毎に調整される。
【０１２５】
プロセッサ２００は、端末ＴＥに割り振られる多重化資源を決定することができる。
【０１２６】
第１の群に属する端末ＴＥの少なくとも一部に割り振られる多重化資源は、ダウンリンクサブフレームの基準部のダウンリンクシンボルの復調のために対応する端末ＴＥｉが使用する多重化資源であり、及び／又は、多重化資源にデータを多重化してアップリンクサブフレームの基準部のアップリンクシンボルを形成するために対応する端末ＴＥｉが使用する多重化資源である。
【０１２７】
その他の群に属する少なくとも１つの端末ＴＥｉに割り振られる多重化資源は、データを多重化して補助ダウンリンクシンボルを形成するために基地局ＢＴＳａが使用する多重化資源であり、及び／又は、補助アップリンクシンボルを復調するために基地局ＢＴＳａが使用する多重化資源である。
【０１２８】
チャネルインタフェース２０５は、データを多重化資源に多重化して、第１の群に属する端末ＴＥの少なくとも一部に転送されるダウンリンクサブフレームの各ダウンリンクシンボルを形成する手段２０６を備える。
【０１２９】
チャネルインタフェース２０５は、各端末ＴＥｉによる少なくとも１つのパイロットシンボルの送信を要求する手段と、各端末ＴＥｉから少なくとも１つのパイロットシンボルを受信する手段とを備える。
【０１３０】
チャネルインタフェース２０５は、データを多重化資源に多重化して、第１の群に属する端末ＴＥの少なくとも一部に転送されるダウンリンクサブフレームの基準部で転送されるシンボルを形成する手段２０６を備える。
【０１３１】
チャネルインタフェース２０５は、各多重化資源上の多重化データであるｐｄ１〜ｐｄＮを、その多重化資源について決定された第１の送信電力係数で重み付けする手段を備える。
【０１３２】
チャネルインタフェース２０５は、データを多重化して、その他の群に属する少なくとも１つの端末ＴＥｉに割り振られた多重化資源で少なくとも１つの端末ＴＥｉに転送される少なくとも１つのダウンリンク補助シンボルを形成する手段２０６を備える。少なくとも１つの補助シンボルは、第１の群に属する端末ＴＥに割り振られた多重化資源に多重化されるか、又は、ダウンリンクサブフレームの基準部に含まれるシンボルに対して、端末ＴＥｉに割り振られた多重化資源に多重化される。
【０１３３】
チャネルインタフェース２０５は、各多重化資源上の多重化データであるｐｄ１〜ｐｄＮを、その多重化資源について決定された第２の送信電力係数で重み付けする手段を備える。
【０１３４】
チャネルインタフェース２０５は、第１の群に属する端末ＴＥに割り振られた多重化資源から、第１の群に属する少なくとも１つの端末ＴＥｉにより転送されるアップリンクサブフレームの基準部に含まれるシンボルを復調する手段を備える。
【０１３５】
チャネルインタフェース２０５は、その他の群に属する少なくとも１つの端末ＴＥｉに割り振られた多重化資源から、その端末ＴＥｉにより転送される１つのアップリンク補助シンボルの少なくも一部を復調する手段を備える。
【０１３６】
チャネルインタフェース２０５は、加重データを結合する手段２０７を備える。
【０１３７】
本発明の第１の実現形態によれば、加重データを結合する手段２０７は逆離散フーリエ変換モジュールである。
【０１３８】
本発明の第２の実現形態によれば、加重データを結合する手段２０７は加算回路である。
【０１３９】
本発明の第３の実現形態によれば、加重データを結合する手段２０７はビームフォーマであり、アンテナＢＳＡｎｔはアレイアンテナである。
【０１４０】
補助シンボルはダウンリンクシンボル及び／又はアップリンクシンボルであってよい。
【０１４１】
本発明の第３の実現形態によれば、チャネルインタフェース２０５は、基地局ＢＴＳａにより転送された信号を、図１にビーム１〜ビーム４と記されているエリアのような異なるエリアに向ける手段を備える。より厳密には、基地局ＢＴＳａがダウンリンクチャネルを通じて信号を所与のエリアに送信する場合、信号はＭ回複製され（Ｍ>１）、複製された信号は、Ｍ個のアンテナを使用してビーム形成を実行するために重み付けされる。すなわち、Ｎ個のビームを形成するように送信信号の空間方向を制御する。
【０１４２】
ビーム形成を実行するための信号の重み付けに使用される重みは、本発明による送信電力係数も含む。
【０１４３】
チャネルインタフェース２０５を通じて、プロセッサ２００は、図１４ａ〜図１４ｃを参照して以下に開示する制御情報のような制御情報を転送する。
【０１４４】
図３は、本発明による無線通信ネットワークの端末の構造を表す図である。
【０１４５】
各端末ＴＥｉ、例として端末ＴＥ１は、たとえば、バス３０１により共に接続される構成要素と、図８において開示するようなアルゴリズムに関連するプログラムにより制御されるプロセッサ３００とに基づく構造を有する。
【０１４６】
ここで、端末ＴＥ１は、一変形において、以下に開示するようなプロセッサ３００により実行される動作と同じ動作を実行する１つ又はいくつかの専用集積回路の形で実施されることに留意する必要がある。
【０１４７】
バス３０１は、プロセッサ３００を読み取り専用メモリＲＯＭ３０２、ランダムアクセスメモリＲＡＭ３０３、及びチャネルインタフェース３０５にリンクする。
【０１４８】
読み取り専用メモリＲＯＭ３０２は図８に開示されているようなアルゴリズムに関連するプログラムの命令を含み、これは、端末ＴＥ１に電源が投入されるとランダムアクセスメモリＲＡＭ３０３に転送される。
【０１４９】
ＲＡＭメモリ３０３は、変数の受け取りを目的とするレジスタと、図８に開示されているようなアルゴリズムに関連するプログラムの命令とを含む。
【０１５０】
チャネルインタフェース３０５は、基地局ＢＴＳａから少なくとも１つのパイロットシンボル要求を受信する手段と、少なくとも１つのパイロットシンボルを基地局ＢＴＳａに転送する手段とを備える。
【０１５１】
チャネルインタフェース３０５を通じて、プロセッサ３００は、図１４を参照して以下に開示する制御情報のような制御情報を受信する。
【０１５２】
チャネルインタフェース３０５を通じて、プロセッサは、割り振られた各多重化資源に関連する送信電力係数を表す情報を受信する。
【０１５３】
チャネルインタフェース３０５は、端末ＴＥ１が第１の群に属する場合、基地局ＢＴＳａにより割り振られる対応する多重化資源（いくつかある場合）で、端末ＴＥ１により受信されるダウンリンクサブフレームの基準部Ｄｒｅｆの各ダウンリンクシンボルを復調する手段を備える。
【０１５４】
チャネルインタフェース３０５は、端末ＴＥ１が第２の群に属する場合、端末ＴＥ１が受信する少なくとも１つの補助ダウンリンクシンボルを復調する手段を備える。
【０１５５】
チャネルインタフェース３０５は、各多重化資源上の多重化データであるｐｕ１〜ｐｕＮをその多重化資源について決定された第１の送信電力係数により重み付けする手段を備える。
【０１５６】
チャネルインタフェース３０５は、端末ＴＥ１がその他の群に属する場合、端末ＴＥ１に割り振られた多重化資源で基地局ＢＴＳａに転送される少なくとも１つのアップリンク補助シンボルを形成するようにデータを多重化する手段３０６を備える。少なくとも１つの補助シンボルは、アップリンクサブフレームの基準部に含まれるシンボルに対して、端末ＴＥ１に割り振られる多重化資源に多重化される。
【０１５７】
チャネルインタフェース３０５は、各多重化資源上の多重化データであるｐｕ１〜ｐｕＮを、その多重化資源について決定された第２の送信電力係数で重み付けする手段を備える。
【０１５８】
チャネルインタフェース３０５は、端末ＴＥ１に割り振られた多重化資源から、基地局ＢＴＳａにより転送されるダウンリンクサブフレームの基準部に含まれるシンボルを復調する手段を備える。
【０１５９】
チャネルインタフェース３０５は、端末ＴＥｉに割り振られた多重化資源から、基地局ＢＴＳａにより転送される少なくとも１つの補助シンボルを復調する手段を備える。
【０１６０】
図７は、本発明による基地局により実行されるアルゴリズムである。
【０１６１】
本アルゴリズムは、無線通信システムの少なくとも１つの基地局ＢＴＳａにより実行される。より厳密には、本アルゴリズムは、基地局ＢＴＳａのプロセッサ２００により実行される。
【０１６２】
ステップＳ７００において、プロセッサ２００は、チャネルインタフェース２０５を通じて、各端末ＴＥｉ（ｉ＝１〜３）に少なくとも１つのパイロットシンボルを転送するように命令する。
【０１６３】
次のステップＳ７０１において、プロセッサ２００は、チャネルインタフェース２０５を通じて、各端末ＴＥｉにより転送された少なくとも１つのパイロットシンボルの受信を検出する。
【０１６４】
次のステップＳ７０２において、プロセッサ２００は各端末ＴＥｉの時間遅延ＴＤ（ｄ）を計算する。ここで、ｄは基地局ＢＴＳａと端末ＴＥｉとの間の距離である。
【０１６５】
各タイミング遅延ＴＤ（ｄ）は以下の式を使用して計算される：
Ｔｄ（ｄ）＝ｔｒ−ｔｅ−ＤＤＬ−ＲＴＤ（ｄ）＝ＧＰ−ＲＴＤ（ｄ）
式中、ＤＤＬは、転送するダウンリンクサブフレームの基準部の全継続時間である。
【０１６６】
同ステップで、プロセッサ２００は、以下の式を使用して各端末ＴＥｉのタイミング進みを計算する：
ＴＡ（ｄ）＝ＧＰ−ＴＤ（ｄ）
【０１６７】
次のステップＳ７０３において、プロセッサ２００は、ステップＳ７０２において計算されたデータのうちの少なくとも１つを対応する各端末ＴＥｉに転送するように命令する。
【０１６８】
ステップＳ７０２において計算されたデータは、チャネルインタフェース２０５により次のダウンリンクサブフレームで転送される。この計算されたデータは他のデータと多重化されて、ダウンリンクサブフレームの基準部のシンボルの形で転送される。
【０１６９】
次のステップＳ７０４において、プロセッサ２００は、少なくとも端末ＴＥの２つの群を形成する。
【０１７０】
そのために、プロセッサ２００は、各端末ＴＥｉ毎に、以下の式を使用して基地局ＢＴＳａが端末ＴＥｉに割り振ることができる補助ダウンリンクシンボル数ｎｄｌＴＥｉを求める。
ｎｄｌＴＥｉ＝integer｛（ＴＤ（ｄ）−ＲＴＳ）／ｔｓｄｌ｝
＝integer｛（ＧＰ−ＲＴＤ（ｄ）−ＲＴＳ）／ｔｓｄｌ｝
式中、ｔｓｄｌは１つのダウンリンクシンボルの継続時間である。
【０１７１】
ここで、ｎｄｌＴＥｉが、基地局ＢＴＳａが端末ＴＥｉに割り振ることができる補助アップリンクシンボル数も表すことに留意する必要がある。
【０１７２】
プロセッサ２００は、ｎｄｌＴＥｉが厳密に１未満の端末ＴＥを少なくとも含む第１の群及びｎｄｌＴＥｉが１以上の端末ＴＥを含む少なくとも１つの他の群を形成する。
【０１７３】
本発明の第１の変形によれば、第１の群は、ｎｄｌＴＥｉがヌル値以上の端末ＴＥ、すなわちすべての端末ＴＥを含み、少なくとも１つの他の群は、ｎｄｌＴＥｉが最大の端末ＴＥを含む第２の群である。
【０１７４】
本発明の第２の変形によれば、第１の群はｎｄｌＴＥｉがヌル値以上の端末ＴＥを含み、複数の他の群が形成される。複数の他の群は、少なくとも、ｎｄｌＴＥｉが第１の値に等しい端末を含む第２の群と、ｎｄｌＴＥｉが第１の値と異なる第２の値に等しい端末ＴＥを含む第３の群とである。
【０１７５】
例として、第２の群はｎｄｌＴＥｉが１に等しい端末ＴＥを含み、第３の群はｎｄｌＴＥｉが２に等しい端末ＴＥを含む。
【０１７６】
別の例では、第２の群はｎｄｌＴＥｉが３に等しい端末ＴＥを含み、第３の群はｎｄｌＴＥｉが６に等しい端末ＴＥを含む。
【０１７７】
本発明の第３の変形によれば、第１の群はｎｄｌＴＥｉが第１の値以下である端末ＴＥを含み、複数の他の群が形成される。複数の他の群は、少なくとも、ｎｄｌＴＥｉが第１の値に等しい端末ＴＥを含む第２の群と、ｎｄｌＴＥｉが第１の値と異なる第２の値に等しい端末ＴＥを含む第３の群とである。
【０１７８】
例として、第１の値は１に等しく、第２の値は２に等しい。
【０１７９】
別の例として、第１の値は２に等しく、第２の値は４に等しい。
【０１８０】
本発明の第４の変形によれば、第１の群はすべての端末ＴＥを含み、複数の他の群が形成される。複数の他の群は、少なくとも、ｎｄｌＴＥｉが第１の値以上の端末ＴＥを含む第２の群と、ｎｄｌＴＥｉが第２の値に等しい端末ＴＥを含む第３の群とである。
【０１８１】
本発明の第５の変形によれば、第１の群はｎｄｌＴＥｉが第１の値以下の端末ＴＥを含み、複数の他の群が形成される。複数の他の群は、少なくとも、ｎｄｌＴＥｉが第１の値以上の端末ＴＥを含む第２の群と、ｎｄｌＴＥｉが第２の値に等しい端末ＴＥを含む第３の群とである。
【０１８２】
ここで、他の変形では、ｎｄｌＴＥｉが異なる値内に含まれる端末ＴＥをそれぞれ含む３つ以上の他の群をプロセッサ２００が形成することに留意する必要がある。
【０１８３】
次のステップＳ７０５において、プロセッサ２００は、無線通信システムの多重化資源を、第１の群に属する端末ＴＥの少なくとも一部に割り振る。
【０１８４】
ここで、数百の端末ＴＥが第１の群に属する場合、プロセッサ２００は、１つのサブフレーム中では、多重化資源を第１の群に属する端末ＴＥの一部にしか割り振ることができないということに留意する必要がある。この場合、プロセッサ２００は、各サブフレーム毎に、多重化資源が割り振られる第１の群の端末ＴＥを変更することができる。
【０１８５】
本発明の第１及び第２の実現形態によれば、プロセッサ２００は、好ましくは、無線通信システムの多重化資源を、図９に示すチャネル品質指標に従って第１の群に属する端末ＴＥに割り振る。
【０１８６】
多重化資源は、本発明の第１の実現形態によれば、周波数チャンクである。１つの周波数チャンクは、少なくとも１つの搬送周波数又は搬送周波数群（好ましくは連続したもの）を含む。
【０１８７】
多重化資源は、本発明の第２の実現形態によれば、符号である。符号はビットシーケンスである。好ましくは、割り振られる符号は互いに直交する。
【０１８８】
割り振られる多重化資源の例について図１０ａ〜図１０ｅを参照して説明する。
【０１８９】
多重化資源は、本発明の第３の実現形態によれば、基地局ＢＴＳａのカバーエリア１５ａ内の複数のエリアである。
【０１９０】
割り振られる多重化資源の一例について図１３を参照して説明する。
【０１９１】
本発明の第３の実現形態によれば、プロセッサ２００は、好ましくは、無線通信システムの多重化資源を、図１２に示すチャネル品質指標に従って第１の群に属する端末ＴＥに割り振る。
【０１９２】
第１の群に属する各端末ＴＥｉに割り振られる多重化資源は、基地局ＢＴＳａが、ダウンリンクサブフレームの基準部の、図６のｓ１〜ｓ４のようなダウンリンクシンボルを多重化するために使用する多重化資源である。
【０１９３】
第１の群に属する各端末ＴＥｉに割り振られる多重化資源は、対応する端末ＴＥｉが、サブフレームの基準部Ｄｒｅｆの、図６のｓ１〜ｓ４のようなダウンリンクシンボルを復調するために使用する多重化資源である。
【０１９４】
ステップＳ７０６において、プロセッサ２００は、第１の群に属する端末ＴＥに割り振られた各多重化資源毎に、ダウンリンクサブフレームの基準部に含まれるシンボルに対する１つの送信電力係数を求める。
【０１９５】
そのために、プロセッサ２００は、図９又は図１２に開示するような各端末ＴＥｉにより求められるチャネル品質指標を使用し、且つ／又は、基地局ＢＴＳａから各端末ＴＥｉが隔てられる距離を考慮し、且つ／又は、サブフレームを通じて転送されるシンボルにより隣接するカバーエリア１５ｂ及び１５ｃ内で発生する干渉を考慮し、且つ／又は、隣接するカバーエリア１５ｂ及び１５ｃから発生する干渉を考慮する。
【０１９６】
プロセッサ２００は、第１の群に属する端末ＴＥに割り振られた各多重化資源毎に、アップリンクサブフレームの基準部に含まれるシンボルの１つの送信電力係数を求める。
【０１９７】
そのために、プロセッサ２００は、基地局ＢＴＳａにより求められるチャネル品質指標を使用し、且つ／又は、基地局ＢＴＳａから各端末ＴＥｉが隔てられる距離も考慮し、且つ／又は、アップリンクサブフレームを通じて転送されるシンボルにより隣接するカバーエリア１５ｂ及び１５ｃ内で発生する干渉を考慮し、且つ／又は、隣接するカバーエリア１５ｂ及び１５ｃから発生する干渉を考慮する。
【０１９８】
ステップＳ７０６が、一変形において、各サブフレーム毎にではなく所定の数のサブフレームに対して実行されることに留意する必要がある。
【０１９９】
次のステップＳ７０７において、プロセッサ２００は、ダウンリンクサブフレームの基準部で転送されるダウンリンクシンボルの転送を命令する。
【０２００】
ダウンリンクサブフレームの基準部で転送されるダウンリンクシンボルは、ステップＳ７０６において求められた第１の送信電力係数に従って転送される。
【０２０１】
求められた送信電力係数を表す情報はデータで構成され、ダウンリンクサブフレームの基準部に含まれるダウンリンクシンボルを形成する。
【０２０２】
次のステップＳ７０８において、プロセッサ２００は、無線通信システムの多重化資源を、他の群に属する少なくとも１つの端末ＴＥｉに割り振る。
【０２０３】
他の群に属する少なくとも１つの端末ＴＥｉに割り振られる多重化資源は、図６のｓ５及び／又はｓ６のような補助ダウンリンクシンボルを多重化するために、且つ／又は、それらの補助アップリンクシンボルを復調するために、基地局ＢＴＳａが使用する多重化資源である。
【０２０４】
多重化資源は、周波数チャンク、符号、又は基地局ＢＴＳａのカバーエリア１５ａの複数のエリアである。
【０２０５】
ステップＳ７０９において、プロセッサ２００は、他の群に属する少なくとも１つの端末ＴＥｉに割り振られた各多重化資源毎に、第２の送信電力係数を求める。
【０２０６】
本発明によれば、多重化資源に関連付けられる各第２の送信電力係数は、その第２の送信電力係数と同じ多重化資源に関連付けられる第１の送信電力係数以下である。
【０２０７】
ステップＳ７１０において、プロセッサ２００は、チャネルインタフェース２０５を通じて、端末ＴＥに割り振られた多重化資源を示す制御情報と、第１の送信電力係数と、必要な場合には第２の送信電力係数との転送を命令する。
【０２０８】
送信電力係数が互いに異なる場合、これらの送信電力係数に関連する情報を転送して、対応する多重化資源でのシンボルの受信を促進する。
【０２０９】
割り振られた多重化資源を示す情報を伝達する制御情報の例を、図１４を参照して提供する。
【０２１０】
次のステップＳ７１１において、プロセッサ２００は、ダウンリンク補助シンボルである場合、チャネルインタフェース２０５を通じて少なくとも１つの補助シンボルの転送を命令する。
【０２１１】
次のステップＳ７１２において、プロセッサ２００は、各端末ＴＥｉ毎に、対応するタイミング遅延ＴＤ（ｄ）及び／又はタイミング進みＴＡ（ｄ）を再び計算するときであるか否かを調べる。非限定的な例として、タイミング遅延ＴＤ（ｄ）及び／又はタイミング進みＴＡ（ｄ）は、要求に応じて又は毎秒のように周期的に計算される。
【０２１２】
タイミング遅延及び／又はタイミング進みを再計算するときである場合、プロセッサ２００はステップＳ７１３に移り、本アルゴリズムを再び実行する。
【０２１３】
タイミング遅延及び／又はタイミング進みを再計算するときではない場合、プロセッサ２００はステップＳ７０５に戻り、タイミング遅延及び／又はタイミング進みを再計算するときがくるまで、ステップＳ７０５〜Ｓ７１２を実行する。
【０２１４】
ここで、ステップＳ７０５〜Ｓ７１２で構成されるループが実行される都度、１つのサブフレーム中で多重化資源が割り振られた端末ＴＥを変更可能なことに留意する必要がある。また、ステップＳ７０６において多重化資源が割り振られる少なくとも１つの端末ＴＥｉは、他の群に属する別の端末ＴＥｉで随時置換可能である。
【０２１５】
ステップＳ７１３において、プロセッサ２００はパイロットシンボルを端末ＴＥにより転送する必要があるか否かを調べる。
【０２１６】
端末ＴＥがシンボルをアップリンクサブフレームで転送する場合、プロセッサ２００は、これらのシンボルからタイミング進みの時間遅延を求めることができる。端末ＴＥがシンボルをアップリンクサブフレームで転送しない場合、プロセッサ２００は、時間遅延又はタイミング進みを求めるためにパイロットシンボルを受信する必要がある。
【０２１７】
パイロットシンボルを端末ＴＥにより転送する必要がある場合、プロセッサ２００はステップＳ７００に戻り、必要がない場合、ステップＳ７０２に戻る。
【０２１８】
図８は、本発明の実現の第４の変形により端末がアップリンクチャネルを通じて少なくとも１つの補助アップリンクシンボルを転送する場合、本発明による端末により実行されるアルゴリズムである。
【０２１９】
本アルゴリズムは、無線通信システムの各端末ＴＥｉにより実行される（ｉ＝１〜３）。より厳密には、本アルゴリズムは各端末ＴＥｉのプロセッサ３００により実行される。
【０２２０】
ステップＳ８００において、プロセッサ３００は、チャネルインタフェース３０５を通じて、基地局ＢＴＳａにより転送される少なくとも１つのパイロットシンボルの送信要求を受信したことを検出する。
【０２２１】
次のステップＳ８０１において、プロセッサ３００は、チャネルインタフェース３０５を通じて、基地局ＢＴＳａへの少なくとも１つのパイロットシンボルの転送を命令する。
【０２２２】
次のステップＳ８０２において、プロセッサ３００は、チャネルインタフェース３０５を通じて、ダウンリンクシンボルの受信を検出する。
【０２２３】
次のステップＳ８０３において、プロセッサ３００は、受信したシンボルに含まれる制御情報の、少なくとも１つの所定のフィールドを読み取る。所定のフィールドの例を図１４を参照して提供する。
【０２２４】
少なくとも１つの所定のフィールドに含まれる情報は、端末ＴＥｉに割り当てられる多重化資源を示す情報である。
【０２２５】
プロセッサ３００は、好ましくはデータと多重化されてダウンリンクシンボルを形成する、アップリンクサブフレームの基準部に含まれるシンボルの第１の送信電力係数を表す情報も読み取る。
【０２２６】
好ましくは、アップリンクサブフレームの基準部に含まれるシンボルの第１の送信電力係数は、少なくとも１つの補助アップリンクシンボルの少なくとも一部の転送にも使用される。このような場合、プロセッサ３００は、多重化資源に関連付けられる第２の送信電力係数を、第２の送信電力係数と同じ多重化資源に関連付けられる第１の送信電力係数の値に設定する。
【０２２７】
一変形において、プロセッサ３００は、好ましくは、データと多重化されてダウンリンクシンボルを形成する少なくとも１つの補助アップリンクシンボルの少なくとも一部の第２の送信電力係数を表す情報も読み取る。
【０２２８】
ここで、受信シンボルは端末ＴＥｉのタイミング遅延ＴＤ（ｄ）及び／又はタイミング進みも含み得ることに留意する必要がある。
【０２２９】
次のステップＳ８０４において、プロセッサ３００は、受信した制御情報の少なくとも１つのフィールドに含まれる、割り振られた多重化資源を示す情報を検索する。
【０２３０】
より厳密には、プロセッサ３００は、端末に割り振ることができる多重化資源を示す情報を含む第１の制御情報の、少なくとも１つのフィールドを読み取る。
【０２３１】
実現の第１、第２、第３、及び第４の変形によれば、プロセッサ３００は、第２の制御情報の、少なくとも１つのフィールドを読み取る。この第２の制御情報は、端末ＴＥｉが時間遅延以内に受信又は転送することになる少なくとも１つの補助シンボルに対して、多重化資源が端末ＴＥｉに割り振られているか否かを示す情報を含むものである。
【０２３２】
実現の第４の変形によれば、プロセッサ３００は、タイミング遅延ＴＤ（ｄ）及び／又はタイミング進みから、端末ＴＥｉがガード期間中に転送できる補助アップリンクシンボルの数を計算する。
【０２３３】
少なくとも１つの補助アップリンクシンボルの多重化のために端末ＴＥｉに割り振られる多重化資源は、アップリンクサブフレームの基準部に含まれるアップリンクシンボルを多重化するために割り振られる多重化資源と同じである。
【０２３４】
同じステップにおいて、プロセッサ３００は、割り振られた多重化資源を示す情報をチャネルインタフェース３０５に転送するように命令する。
【０２３５】
ステップＳ８０５において、プロセッサ３００は、必要な場合、アップリンクチャネルを通じてシンボルを転送するように命令する。
【０２３６】
転送されるシンボルは、アップリンクサブフレームの基準部に含まれるシンボル及び補助アップリンクシンボルである。
【０２３７】
チャネルインタフェース３０５は、割り振られた多重化資源に、端末ＴＥｉにより転送されるダウンリンクサブフレームの基準部の各アップリンクシンボルを多重化する。
【０２３８】
チャネルインタフェース３０５は、アップリンクサブフレームの基準部に含まれるシンボルに対してＢＴＳａの基地局により割り振られた多重化資源と同じ多重化資源に、端末ＴＥｉにより転送される少なくとも１つの補助アップリンクシンボルを多重化する。
【０２３９】
アップリンクサブフレームの基準部に含まれるシンボルの多重化資源及び少なくとも１つの補助シンボルの多重化資源は、第１の送信係数で重み付けされるか、又はそれぞれ第１及び第２の送信電力係数で重み付けされる。
【０２４０】
次のステップＳ８０６において、プロセッサ３００は、基地局ＢＴＳａが少なくとも１つのパイロットシンボルを受信する必要があるか否かを調べる。
【０２４１】
少なくとも１つのパイロットシンボルを受信する必要がある場合、プロセッサ３００はステップＳ８０１に戻り、必要がない場合、ステップＳ８０２に戻る。
【０２４２】
図９は、本発明の第１及び第２の実現形態による、基地局と各端末との間で求められるチャネル品質指標の一例である。
【０２４３】
図９の縦軸には、周波数帯が示される。横軸は、各端末ＴＥｉにより求められると共にダウンリンク多重化資源の利用を最適化するためにアップリンクチャネルを通じて基地局ＢＴＳａに報告される、チャネル品質指標の値を表す。
【０２４４】
図９に、端末ＴＥ１〜ＴＥ３により求められるチャネル品質指標曲線を示す。
【０２４５】
基地局ＢＴＳａは、このような曲線を使用して多重化資源を端末ＴＥ１〜ＴＥ３に割り振る。
【０２４６】
アップリンクチャネルの場合、アップリンク多重化資源の利用を最適化するために、基地局ＢＴＳａは各アップリンクチャネルでのチャネル品質指標を求める。
【０２４７】
図１０ａは、本発明の実現の第１の変形において、本発明の第１及び第２の実現形態による端末に割り振られる、無線通信システムの多重化資源の一例である。
【０２４８】
第１の変形によれば、第１の群はすべての端末ＴＥを含み、少なくとも１つの他の群は、最大数の補助シンボルを受信又は送信できる端末ＴＥを含む第２の群である。
【０２４９】
図１０ａは、４個のシンボルがダウンリンクサブフレームの基準部に含まれ、２個のシンボルが補助シンボルである一例を開示している。
【０２５０】
図１０ａは、１００１〜１０１２と記されている１２行及び１０５１〜１０５６と記されている６列の表を表す。各行１００１〜１０１２は、第１の実現形態によれば周波数チャンクを表し、又は第２の実現形態によれば符号を表す。各列１０５１〜１０５６はシンボルを表す。好ましくは、このような表は各サブフレーム毎に生成される。
【０２５１】
ここで、より多数の周波数チャンク又は符号を本発明において割り振ることができ、又はより少数の周波数チャンク又は符号を本発明において割り振ることができることに留意する必要がある。
【０２５２】
列１０５１はシンボルｓ１を表し、列１０５２はシンボルｓ２を表し、列１０５３はシンボルｓ３を表し、列１０５４はシンボルｓ４を表し、列１０５５は補助シンボルｓ５を表し、列１０５６は補助シンボルｓ６を表す。
【０２５３】
基地局ＢＴＳａにより決定される第１の群は、ｎｄｌＴＥｉがヌル値以上の端末ＴＥ１〜ＴＥ３を含む。
【０２５４】
基地局ＢＴＳａは、シンボルｓ１〜ｓ４に対して、１００１〜１００３及び１０１０〜１０１２と記されている周波数チャンク又は符号を端末ＴＥ１に割り振る。
【０２５５】
基地局ＢＴＳａは、シンボルｓ１〜ｓ４に対して、１００４〜１００６と記されている周波数チャンク又は符号を端末ＴＥ２に割り振る。
【０２５６】
基地局ＢＴＳａは、シンボルｓ１〜ｓ４に対して、１００７〜１００９と記されている周波数チャンク又は符号を端末ＴＥ３に割り振る。
【０２５７】
基地局ＢＴＳａは、図６のダウンリンクサブフレームの基準部に含まれるシンボルｓ１〜ｓ４のすべてについて、１つの端末ＴＥｉに同じ周波数チャンク又は符号を割り振る。
【０２５８】
基地局ＢＴＳａは、補助シンボルｓ５及びｓ６について、ダウンリンクサブフレームの基準部に含まれるシンボルに対して第１の群に含まれる端末ＴＥに割り当てられた多重化資源を、端末ＴＥ３に割り振る。より厳密には、第１の群に含まれる端末に割り振られるすべての周波数チャンク又は符号は、シンボルｓ５及びｓ６について、ｎｄｌＴＥｉが２に等しい端末ＴＥ３に割り振られる。
【０２５９】
図１０ｂは、本発明の実現の第２の変形において、本発明の第１及び第２の実現形態による端末に割り振られる無線通信システムの多重化資源の一例である。
【０２６０】
第２の変形によれば、第１の群はすべての端末ＴＥを含み、少なくとも２つの他の群が形成される。複数の他の群は、少なくとも、第１の数の補助シンボルを受信且つ／又は送信できる端末ＴＥを含む第２の群と、第２の数の補助シンボルを受信且つ／又は送信できる端末ＴＥを含む第３の群とである。
【０２６１】
図１０ｂは、４個のシンボルがダウンリンクサブフレームの基準部に含まれ、２個のシンボルが補助シンボルである一例を開示している。
【０２６２】
図１０ｂは、１１０１〜１１１２と記されている１２行及び１１５１〜１１５６と記されている６列の表を表す。各行１１０１〜１１１２は、第１の実現形態によれば周波数チャンクを表し、又は第２の実現形態によれば符号を表す。各列１１５１〜１１５６はシンボルを表す。好ましくは、このような表は各サブフレーム毎に生成される。
【０２６３】
ここで、より多数の周波数チャンク又は符号を本発明において割り振ることができ、又はより少数の周波数チャンク又は符号を本発明において割り振ることができることに留意する必要がある。
【０２６４】
列１１５１はシンボルｓ１を表し、列１１５２はシンボルｓ２を表し、列１１５３はシンボルｓ３を表し、列１１５４はシンボルｓ４を表し、列１１５５は補助シンボルｓ５を表し、列１１５６は補助シンボルｓ６を表す。
【０２６５】
基地局ＢＴＳａにより決定される第１の群は、ｎｄｌＴＥｉがヌル値以上の端末ＴＥ１〜ＴＥ３を含む。
【０２６６】
基地局ＢＴＳａは、シンボルｓ１〜ｓ４に対して、１１０１〜１１０３及び１１１０〜１１１２と記されている周波数チャンク又は符号を端末ＴＥ１に割り振る。
【０２６７】
基地局ＢＴＳａは、シンボルｓ１〜ｓ４に対して、１１０４〜１１０６と記されている周波数チャンク又は符号を端末ＴＥ２に割り振る。
【０２６８】
基地局ＢＴＳａは、シンボルｓ１〜ｓ４に対して、１１０７〜１１０９と記されている周波数チャンク又は符号を端末ＴＥ３に割り振る。
【０２６９】
基地局ＢＴＳａは、図６の例に従って、ダウンリンクサブフレームの基準部Ｄｒｅｆに含まれるシンボルｓ１〜ｓ４のすべてについて、１つの端末ＴＥｉに同じ周波数チャンク又は符号を割り振る。
【０２７０】
基地局ＢＴＳａは、少なくとも２つの他の群を決定する。少なくとも２つの他の群は、少なくとも、ｎｄｌＴＥｉが１に等しい端末ＴＥ、すなわち端末ＴＥ２を含む第２の群と、ｎｄｌＴＥｉが２に等しい端末ＴＥ、すなわち端末ＴＥ３を含む第３の群とである。
【０２７１】
基地局ＢＴＳａは、ダウンリンクサブフレームの基準部に含まれるシンボルに対して第１の群に含まれる端末ＴＥに割り当てられた多重化資源を、補助シンボルｓ５に対して端末ＴＥ２に割り振る。より厳密には、シンボルｓ５のサブフレームのすべての周波数チャンク又は符号が端末ＴＥ２に割り振られる。
【０２７２】
基地局ＢＴＳａは、ダウンリンクサブフレームの基準部に含まれるシンボルに対して第１の群に含まれる端末ＴＥに割り当てられた多重化資源を、補助シンボルｓ６に対して端末ＴＥ３に割り振る。より厳密には、基地局ＢＴＳａは、シンボルｓ６のサブフレームのすべての周波数チャンク又は符号を端末ＴＥ３に割り振る。
【０２７３】
図１０ｃは、実現の第３の変形において、本発明の第１及び第２の実現形態による端末に割り振られる無線通信システムの多重化資源の一例である。
【０２７４】
第３の変形によれば、第１の群は、時間遅延中に最大で第１の数の補助シンボルを受信且つ／又は送信できる端末ＴＥの一部を含み、少なくとも２つの他の群が形成される。複数の他の群は、少なくとも、第１の数の補助シンボルを受信且つ／又は送信できる端末ＴＥを含む第２の群と、第２の数の補助シンボルを受信且つ／又は送信できる端末ＴＥを含む第３の群とである。
【０２７５】
図１０ｃは、４個のシンボルがダウンリンクサブフレームの基準部に含まれ、２個のシンボルが補助シンボルである一例を開示している。
【０２７６】
図１０ｃは、１２０１〜１２１２と記されている１２行及び１２５１〜１２５６と記されている６列の表を表す。各行１２０１〜１２１２は、第１の実現形態によれば周波数チャンクを表し、又は第２の実現形態によれば符号を表す。各列１２５１〜１２５６は図６のシンボルを表す。好ましくは、このような表は各サブフレーム毎に生成される。
【０２７７】
ここで、より多数の周波数チャンク又は符号を本発明において割り振ることができ、又はより少数の周波数チャンク又は符号を本発明において割り振ることができることに留意する必要がある。
【０２７８】
列１２５１はシンボルｓ１を表し、列１２５２はシンボルｓ２を表し、列１２５３はシンボルｓ３を表し、列１２５４はシンボルｓ４を表し、列１２５５は補助シンボルｓ５を表し、列１２５６は補助シンボルｓ６を表す。
【０２７９】
基地局ＢＴＳａにより決定される第１の群は、ｎｄｌＴＥｉが１以下の端末ＴＥ１及びＴＥ２を含む。
【０２８０】
基地局ＢＴＳａは、シンボルｓ１〜ｓ４に対して、１２０１〜１２０３及び１２１０〜１２１２と記されている周波数チャンク又は符号を端末ＴＥ１に割り振る。
【０２８１】
基地局ＢＴＳａは、シンボルｓ１〜ｓ４に対して、１２０４〜１２０９と記されている周波数チャンク又は符号を端末ＴＥ２に割り振る。
【０２８２】
基地局ＢＴＳａは、図６の基準部Ｄｒｅｆに含まれるシンボルｓ１〜ｓ４のすべてについて、１つの端末ＴＥｉに同じ周波数チャンク又は符号を割り振る。
【０２８３】
基地局ＢＴＳａは、ｎｄｌＴＥｉが１に等しい端末ＴＥ、すなわち端末ＴＥ２を含む第２の群と、ｎｄｌＴＥｉが２に等しい端末ＴＥ、すなわち端末ＴＥ３を含む第３の群とを形成する。
【０２８４】
基地局ＢＴＳａは、ダウンリンクサブフレームの基準部に含まれるシンボルに対して第１の群に含まれる端末ＴＥに割り当てられた多重化資源を、補助シンボルｓ５に対して端末ＴＥ２に割り振る。より厳密には、基地局ＢＴＳａは、補助シンボルｓ５のサブフレームのすべての周波数チャンク又は符号を端末ＴＥ２に割り振る。基地局ＢＴＳａは、シンボルｓ６のサブフレームのすべての周波数チャンク又は符号を端末ＴＥ３に割り振る。
【０２８５】
図１０ｄは、実現の第４の変形において、本発明の第１及び第２の実現形態による端末に割り振られる無線通信システムの多重化資源の一例である。
【０２８６】
図１０ｄは、４個のシンボルがアップリンクサブフレームの基準部に含まれ、２個のシンボルが補助アップリンクシンボルである一例を開示している。
【０２８７】
図１０ｄは、１３０１〜１３１２と記されている１２行及び１３５１〜１３５６と記されている６列の表を表す。各行１３０１〜１３１２は、第１の実現形態によれば周波数チャンクを表し、又は第２の実現形態によれば符号を表す。各列１３５１〜１３５６はシンボルを表す。好ましくは、このような表は各サブフレーム毎に生成される。
【０２８８】
ここで、より多数の周波数チャンク又は符号を本発明において割り振ることができ、又はより少数の周波数チャンク又は符号を本発明において割り振ることができることに留意する必要がある。
【０２８９】
列１３５１はサブフレームの基準部の第１のシンボルを表し、列１３５２はサブフレームの基準部の第２のシンボルを表し、列１３５３はサブフレームの基準部の第３のシンボルを表し、列１３５４はサブフレームの基準部の第４のシンボルを表し、列１３５５は第１の補助シンボルを表し、列１３５６は第２の補助シンボルを表す。
【０２９０】
基地局ＢＴＳａにより決定される第１の群は、ｎｄｌＴＥｉがヌル値以上の端末ＴＥ１〜ＴＥ３を含む。
【０２９１】
基地局ＢＴＳａは、サブフレームの基準部のシンボルに対して、１３０１〜１３０３及び１３１０〜１３１２と記されている周波数チャンク又は符号を端末ＴＥ１に割り振る。
【０２９２】
基地局ＢＴＳａは、サブフレームの基準部のシンボルに対して、１３０４〜１３０６と記されている周波数チャンク又は符号を端末ＴＥ２に割り振る。
【０２９３】
基地局ＢＴＳａは、サブフレームの基準部のシンボルに対して、１３０７〜１３０９と記されている周波数チャンク又は符号を端末ＴＥ３に割り振る。
【０２９４】
基地局ＢＴＳａは、サブフレームの基準部に含まれるすべてのシンボルと、存在する場合には補助アップリンクまたはダウンリンクシンボルとに対して、同じ周波数チャンク又は符号を端末ＴＥｉに割り振る。
【０２９５】
基地局ＢＴＳａは、ダウンリンクサブフレーム及び／又はアップリンクサブフレームの基準部に含まれるシンボルに対して端末ＴＥ２に割り振られた多重化資源を、第１の補助シンボルに対して端末ＴＥ２に割り振る。
【０２９６】
基地局ＢＴＳａは、ダウンリンクサブフレーム及び／又はアップリンクサブフレームの基準部に含まれるシンボルに対して端末ＴＥ３に割り振られた多重化資源を、補助シンボルに対して端末ＴＥ３に割り振る。
【０２９７】
図１０ｅは、実現の第５の変形において、本発明の第１及び第２の実現形態による端末に割り振られる無線通信システムの多重化資源の一例である。
【０２９８】
図１０ｅは、１４０１〜１４１２と記されている１２行及び１４５１〜１４５６と記されている６列の表を表す。各行１４０１〜１４１２は、第１の実現形態によれば周波数チャンクを表し、又は第２の実現形態によれば符号を表す。各列１４５１〜１４５６はシンボルを表す。好ましくは、このような表は各サブフレーム毎に生成される。
【０２９９】
ここで、より多数の周波数チャンク又は符号を本発明において割り振ることができ、又はより少数の周波数チャンク又は符号を本発明において割り振ることができることに留意する必要がある。
【０３００】
列１４５１はシンボルｓ１を表し、列１４５２はシンボルｓ２を表し、列１４５３はシンボルｓ３を表し、列１４５４はシンボルｓ４を表し、列１４５５は補助シンボルｓ５を表し、列１４５６は補助シンボルｓ６を表す。
【０３０１】
基地局ＢＴＳａにより決定される第１の群は、ｎｄｌＴＥｉが第１の値以下、例として値１以下の端末ＴＥ１〜ＴＥ３を含む。
【０３０２】
基地局ＢＴＳａは、シンボルｓ１〜ｓ４に対して、１４０１〜１４０３及び１４１０〜１４１２と記されている周波数チャンク又は符号を端末ＴＥ１に割り振る。
【０３０３】
基地局ＢＴＳａは、シンボルｓ１〜ｓ４に対して、１４０４〜１４０９と記されている周波数チャンク又は符号を端末ＴＥ２に割り振る。
【０３０４】
基地局ＢＴＳａは、サブフレームの基準部に含まれるシンボルｓ１〜ｓ４のすべてに対して、１つの端末ＴＥｉに同じ周波数チャンク又は符号を割り振る。
【０３０５】
基地局ＢＴＳａは、補助シンボルｓ５に対して、多重化資源１４０１〜１４０６を端末ＴＥ２に割り振る。
【０３０６】
基地局ＢＴＳａは、補助シンボルｓ５に対して、多重化資源１４０７〜１４１２を端末ＴＥ３に割り振る。
【０３０７】
基地局ＢＴＳａは、補助シンボルｓ６に対して、多重化資源１４０１〜１４１２を端末ＴＥ３に割り振る。
【０３０８】
図１１ａは、サブフレームの基準部に含まれるシンボルに対して多重化資源に多重化されるデータの送信電力の一例である。
【０３０９】
図１１ａの縦軸には、異なる多重化資源ＭＸＲ１〜ＭＸＲ４が示される。
【０３１０】
多重化資源ＭＸＲ１は、図１０ａの多重化資源１００１〜１００３に対応するか、図１０ｂの多重化資源１１０１〜１１０３に対応するか、図１０ｃの多重化資源１２０１〜１２０３に対応するか、図１０ｄの多重化資源１３０１〜１３０３に対応するか、図１０ｅの多重化資源１４０１〜１４０３に対応するか、又は図１２のビーム１に対応する。
【０３１１】
多重化資源ＭＸＲ２は、図１０ａの多重化資源１００４〜１００６に対応するか、図１０ｂの多重化資源１１０４〜１１０６に対応するか、図１０ｃの多重化資源１２０４〜１２０６に対応するか、図１０ｄの多重化資源１３０４〜１３０６に対応するか、図１０ｅの多重化資源１４０４〜１４０６に対応するか、又は図１２のビーム２に対応する。
【０３１２】
多重化資源ＭＸＲ３は、図１０ａの多重化資源１００７〜１００９に対応するか、図１０ｂの多重化資源１１０７〜１１０９に対応するか、図１０ｃの多重化資源１２０７〜１２０９に対応するか、図１０ｄの多重化資源１３０７〜１３０９に対応するか、図１０ｅの多重化資源１４０７〜１４０９に対応するか、又は図１２のビーム３に対応する。
【０３１３】
多重化資源ＭＸＲ４は、図１０ａの多重化資源１０１０〜１０１２に対応するか、図１０ｂの多重化資源１１１０〜１１１２に対応するか、図１０ｃの多重化資源１２１０〜１２１２に対応するか、図１０ｄの多重化資源１３１０〜１３１２に対応するか、図１０ｅの多重化資源１４１０〜１４１２に対応するか、又は図１２のビーム４に対応する。
【０３１４】
図１１ａの横軸には、異なる送信電力が示される。
【０３１５】
送信電力Ｐ１は、多重化資源ＭＸＲ１及びＭＸＲ４に多重化されるデータの送信電力に対応する。
【０３１６】
送信電力Ｐ２は、多重化資源ＭＸＲ２に多重化されるデータの送信電力に対応する。
【０３１７】
送信電力Ｐ３は、多重化資源ＭＸＲ３に多重化されるデータの送信電力に対応する。
【０３１８】
送信電力は、ダウンリンクサブフレーム又はアップリンクサブフレームの基準部に含まれるシンボルの多重化資源の送信電力である。
【０３１９】
プロセッサ２００は、定期的に、又は要求に応じて、又は各ダウンリンクサブフレーム若しくはアップリンクサブフレーム毎に、且つ各多重化資源毎に、各ダウンリンクチャネルＣｈ１〜Ｃｈ３を通じて転送されるシンボルの多重化資源ＭＸＲ１〜ＭＸＲ４の送信電力Ｐ１、Ｐ２、及びＰ３を決定する。
【０３２０】
そのために、プロセッサ２００は、図９又は図１２に開示するような各端末ＴＥｉにより求められるチャネル品質指標を使用し、且つ／又は、各端末ＴＥｉと基地局ＢＴＳａとを隔てる距離を考慮し、且つ／又は、隣接するカバーエリア１５ｂ及び１５ｃ内で発生する干渉を考慮する。
【０３２１】
図１１ｂは、少なくとも１つの補助シンボルに対して多重化資源に多重化されるデータの送信電力の一例である。
【０３２２】
本発明によれば、補助ダウンリンクシンボルに対して多重化資源に多重化されるデータの送信電力は、ダウンリンクサブフレームの基準部に含まれるシンボルの多重化資源に多重化されるデータの転送に使用される送信電力と同じであり、且つ／又は、補助アップリンクシンボルに対して多重化資源に多重化されるデータの送信電力は、アップリンクサブフレームの基準部に含まれるシンボルの多重化資源に多重化されるデータの転送に使用される送信電力と同じである。
【０３２３】
多重化資源に関連付けられる各第２の送信電力係数は、第２の送信電力係数と同じ多重化資源に関連付けられる第１の送信電力係数に等しい。すなわち、電力係数Ｐ１’は図１１ａの電力係数Ｐ１に等しく、電力係数Ｐ２’は図１１ａの電力係数Ｐ２に等しく、電力係数Ｐ３’は図１１ａの電力係数Ｐ３に等しい。
【０３２４】
一変形によれば、多重化資源に関連付けられる各第２の送信電力係数は、その第２の送信電力係数と同じ多重化資源に関連付けられる第１の送信電力係数よりも小さい。すなわち、電力係数Ｐ１’は図１１ａの電力係数Ｐ１より小さく、電力係数Ｐ２’は図１１ａの電力係数Ｐ２より小さく、電力係数Ｐ３’は図１１ａの電力係数Ｐ３より小さい。
【０３２５】
別の一変形によれば、多重化資源に関連付けられる各第２の送信電力係数は、最も低い第１の送信電力係数に等しい。すなわち、電力係数Ｐ１’、Ｐ２’、及びＰ３’は等しく、図１１ａの電力係数Ｐ３に等しい。
【０３２６】
図１２は、本発明の第３の実現形態による、基地局と各端末との間で求められるチャネル品質指標の一例である。
【０３２７】
図１２の縦軸には、異なるビームであるビーム１〜ビーム４が示される。横軸は、各端末ＴＥｉにより求められ、ダウンリンク多重化資源の利用を最適化するためにアップリンクチャネルを通じて基地局ＢＴＳａに報告される、チャネル品質指標の値を表す。
【０３２８】
図１２に、端末ＴＥ１〜ＴＥ３により求められるチャネル品質指標曲線を示す。
【０３２９】
基地局ＢＴＳａは、このような曲線を使用して、多重化資源を端末ＴＥ１〜ＴＥ３に割り振る。
【０３３０】
アップリンクチャネルの場合、アップリンク多重化資源の利用を最適化するために、基地局ＢＴＳａは各アップリンクチャネルでのチャネル品質指標を求める。
【０３３１】
図１３は、本発明の第３の実現形態による端末に本発明により割り振られる、無線通信システムの多重化資源の一例である。
【０３３２】
図１３は、４個のシンボルがダウンリンクサブフレームの基準部に含まれ、２個のシンボルが補助シンボルである一例を開示する。
【０３３３】
図１３は、１３０〜１３３と記されている４行及び１３４〜１３９と記されている６列の表を表す。各行１３０〜１３３は、ビーム、または、第３の実現形態により信号が基地局ＢＴＳａにより向けられるエリアを表し、各列１３５〜１３９は図６のシンボルを表す。好ましくは、このような表は各サブフレーム毎に生成される。
【０３３４】
列１３４はシンボルｓ１を表し、列１３５はシンボルｓ２を表し、列１３６はシンボルｓ３を表し、列１３７はシンボルｓ４を表し、列１３８は補助シンボルｓ５を表し、列１３９は補助シンボルｓ６を表す。
【０３３５】
基地局ＢＴＳａにより決定される第１の群は、ｎｄｌＴＥｉがヌル値以上の端末ＴＥ１、ＴＥ２、及びＴＥ３を含む。
【０３３６】
基地局ＢＴＳａは、シンボルｓ１〜ｓ４に対して、１３０及び１３１と記されているビーム１及びビーム２を端末ＴＥ１に割り振る。
【０３３７】
基地局ＢＴＳａは、シンボルｓ１〜ｓ４に対して、１３２と記されているビーム３を端末ＴＥ２に割り振る。
【０３３８】
基地局ＢＴＳａは、シンボルｓ１〜ｓ４に対して、１３３と記されているビーム４を端末ＴＥ３に割り振る。
【０３３９】
基地局ＢＴＳａは、ｎｄｌＴＥｉが１に等しい端末ＴＥ、すなわち端末ＴＥ２を含む第２の群と、ｎｄｌＴＥｉが２に等しい端末ＴＥ、すなわち端末ＴＥ３を含む第３の群とを形成する。
【０３４０】
基地局ＢＴＳａは、ダウンリンクサブフレームの基準部に含まれるシンボルに対して第１の群に含まれる端末ＴＥに割り当てられた多重化資源を、補助シンボルｓ５に対して端末ＴＥ２に割り振る。より厳密には、基地局ＢＴＳａは、補助シンボルｓ５に対してサブフレームのビーム１３０〜１３３をすべて端末ＴＥ２に割り振る。基地局ＢＴＳａは、補助シンボルｓ６に対して、サブフレームのビーム１３０〜１３３をすべて端末ＴＥ３に割り振る。
【０３４１】
ここで、本発明の第１及び第２の実現形態において図１０を参照して示した様々な割り振り方式も、第３の実現形態に適用可能であるということに留意する必要がある。
【０３４２】
図１４ａ及び図１４ｃは、基地局により端末に転送される本発明により割り振られた多重化資源を示す情報を伝達する、制御情報を示す。
【０３４３】
図１４ａは、第１の群に属する端末に割り振られた多重化資源を示す情報を伝達する、制御情報の一例を開示する。
【０３４４】
図１４ａは、４個のシンボルがダウンリンクサブフレームの基準部に含まれ、２個のシンボルが補助シンボルである一例を開示している。
【０３４５】
制御情報は、好ましくは、他のデータと多重化されて、ダウンリンクサブフレームの基準部に含まれる１個のシンボル（例として第１のシンボルｓ１）を形成するか、又は他のデータと多重化されて、ダウンリンクサブフレームの基準部に含まれるシンボル（図６の例によればシンボルｓ１〜ｓ４）の少なくとも一部を形成する。
【０３４６】
制御情報は、多重化資源の数と同数の行を含む。列１４１は各多重化資源の識別子を含み、列１４２は、同じ行で識別される多重化資源が割り振られる端末ＴＥｉの簡易識別子(short identifier)を含む。
【０３４７】
簡易識別子は、少なくとも１つのサブフレームについて端末ＴＥｉの識別子を置き換えるバイナリシーケンスである。
【０３４８】
図１４ｂは、多重化資源が割り振られる各端末の簡易識別子と、端末の識別子との間の対応を示す対応表である。
【０３４９】
図１４ｂは、４個のシンボルがダウンリンクサブフレームの基準部に含まれ、２個のシンボルが補助シンボルである一例を開示している。
【０３５０】
対応表は各サブフレームで求められ、ダウンリンクチャネルを通じて端末ＴＥに転送される。対応表は、多重化資源が割り振られる端末ＴＥの数と同数の行を含む。
【０３５１】
図１の例によれば、３つの端末ＴＥしかカバーエリア１５ａ内に含まれていないため、多重化資源は各端末ＴＥｉに割り振られ、各簡易識別子は２ビットシーケンスである。「０１」は端末ＴＥ１を識別し、「１０」は端末ＴＥ２を識別し、「１１」は端末ＴＥ３を識別する。
【０３５２】
図１４ｂの例を参照すると、「１」〜「３」及び「１０」〜「１２」と記されている多重化資源は端末ＴＥ１に割り振られ、「４」〜「６」と記されている多重化資源は端末ＴＥ２に割り振られ、「７」〜「９」と記されている多重化資源は端末ＴＥ３に割り振られる。
【０３５３】
本発明の第１及び第２の実現形態によれば、多重化資源１〜１２はそれぞれ、図１０ａの周波数チャンク１００１〜１０１２、図１０ｂの周波数チャンク１１０１〜１１１２、及び図１０ｃの周波数チャンク１２０１〜１２１２に対応する。
【０３５４】
図１４ｃは、他の群に属する端末に割り振られた多重化資源を示す情報を伝達する制御情報の一例を開示する。
【０３５５】
図１４ｃは、２個のシンボルが補助シンボルである一例を開示している。
【０３５６】
制御情報は、好ましくは、他のデータと多重化されて、ダウンリンクサブフレームの基準部に含まれる少なくとも１個のシンボルを形成するか、又は好ましくは、他のデータと多重化されて、少なくとも１個の補助シンボルを形成する。
【０３５７】
制御情報は、多重化資源の数と同数の行を含む。列１４３は各多重化資源の識別子を含む。列１４４は、その行で特定される多重化資源が第１の補助シンボルに対して割り振られる端末ＴＥｉの簡易識別子を含む。列１４５は、その行で特定される多重化資源が第２の補助シンボルについて割り振られる端末ＴＥｉの簡易識別子を含む。
【０３５８】
図１４ｃの例を参照すると、「１」〜「６」と記されている多重化資源は第１の補助シンボルに対して端末ＴＥ２に割り振られ、「７」〜「１２」と記されている多重化資源は第１の補助シンボルに対して端末ＴＥ３に割り振られ、「１」〜「１２」と記されている多重化資源は第２の補助シンボルに対して端末ＴＥ３に割り振られる。
【０３５９】
当然ながら、本発明の範囲から逸脱することなく、上述した本発明の実施形態に多くの変更を行うことが可能である。
【図面の簡単な説明】
【０３６０】
【図１】本発明が実施される無線通信システムの構造を表す図である。
【図２】本発明による無線通信システムの基地局の構造を表す図である。
【図３】本発明による無線通信システムの端末の構造を表す図である。
【図４】従来のＨＤ／ＯＦＤＭフレームの構造を示すクロノグラムである。
【図５】従来技術による通信システムのダウンリンクでの情報の送信を示すクロノグラムである。
【図６】従来技術による通信システムのダウンリンクでの情報の送信を示すクロノグラムである。
【図７】本発明による基地局により実行されるアルゴリズムである。
【図８】端末が本発明の実現の第４の変形によりアップリンクチャネルを通じて少なくとも１つの補助アップリンクシンボルを転送する際に、本発明による端末により実行されるアルゴリズムである。
【図９】本発明の第１及び第２の実現形態により基地局と各端末との間で求められるチャネル品質指標の一例である。
【図１０ａ】本発明の実現の第１の変形において、本発明の第１及び第２の実現形態による端末に割り振られる無線通信システムの多重化資源の一例である。
【図１０ｂ】本発明の実現の第２の変形において、本発明の第１及び第２の実現形態による端末に割り振られる無線通信システムの多重化資源の一例である。
【図１０ｃ】本発明の実現の第３の変形において、本発明の第１及び第２の実現形態による端末に割り振られる無線通信システムの多重化資源の一例である。
【図１０ｄ】本発明の実現の第４の変形において、本発明の第１及び第２の実現形態による端末に割り振られる無線通信システムの多重化資源の一例である。
【図１０ｅ】本発明の実現の第５の変形において、本発明の第１及び第２の実現形態による端末に割り振られる無線通信システムの多重化資源の一例である。
【図１１ａ】サブフレームの基準部に含まれるシンボルに対して多重化資源に多重化されるデータの送信電力の一例である。
【図１１ｂ】補助シンボルに対して多重化資源に多重化されるデータの送信電力の一例である。
【図１２】本発明の第３の実現形態により基地局と各端末との間で求められるチャネル品質指標の一例である。
【図１３】本発明の第３の実現形態による、本発明により端末に割り振られる無線通信システムの多重化資源の一例である。
【図１４ａ】基地局により端末に転送される、本発明により割り振られた多重化資源を示す情報を伝達する制御情報を示す図である。
【図１４ｂ】端末の各簡易識別子と端末の識別子との間の対応を示す対応表である。
【図１４ｃ】基地局により端末に転送される、本発明により割り振られた多重化資源を示す情報を伝達する制御情報を示す図である。
【図１】
2008167412.tif 000003
【図２】
2008167412.tif 000004
【図３】
2008167412.tif 000005
【図４】
2008167412.tif 000006
【図５】
2008167412.tif 000007
【図６】
2008167412.tif 000008
【図７】
2008167412.tif 000009
【図８】
2008167412.tif 000010
【図９】
2008167412.tif 000011
【図１０ａ】
2008167412.tif 000012
【図１０ｂ】
2008167412.tif 000013
【図１０ｃ】
2008167412.tif 000014
【図１０ｄ】
2008167412.tif 000015
【図１０ｅ】
2008167412.tif 000016
【図１１ａ】
2008167412.tif 000017
【図１１ｂ】
2008167412.tif 000018
【図１２】
2008167412.tif 000019
【図１３】
2008167412.tif 000020
【図１４ａ】
2008167412.tif 000021
【図１４ｂ】
2008167412.tif 000022
【図１４ｃ】
2008167412.tif 000023
【外国語明細書】
2008167412.tif 000024
2008167412.tif 000025
2008167412.tif 000026
2008167412.tif 000027
2008167412.tif 000028
2008167412.tif 000029
2008167412.tif 000030
2008167412.tif 000031
2008167412.tif 000032
2008167412.tif 000033
2008167412.tif 000034
2008167412.tif 000035
2008167412.tif 000036
2008167412.tif 000037
2008167412.tif 000038
2008167412.tif 000039
2008167412.tif 000040
2008167412.tif 000041
2008167412.tif 000042
2008167412.tif 000043
2008167412.tif 000044
2008167412.tif 000045
2008167412.tif 000046
2008167412.tif 000047
2008167412.tif 000048
2008167412.tif 000049
2008167412.tif 000050
2008167412.tif 000051
2008167412.tif 000052
2008167412.tif 000053
2008167412.tif 000054
2008167412.tif 000055
2008167412.tif 000056
2008167412.tif 000057
2008167412.tif 000058
2008167412.tif 000059
2008167412.tif 000060
2008167412.tif 000061
2008167412.tif 000062
2008167412.tif 000063
2008167412.tif 000064
2008167412.tif 000065
2008167412.tif 000066
2008167412.tif 000067
2008167412.tif 000068
2008167412.tif 000069
2008167412.tif 000070
2008167412.tif 000071
2008167412.tif 000072
2008167412.tif 000073
2008167412.tif 000074
2008167412.tif 000075
2008167412.tif 000076
2008167412.tif 000077
2008167412.tif 000078
2008167412.tif 000079
2008167412.tif 000080
2008167412.tif 000081
2008167412.tif 000082
2008167412.tif 000083